(57)【特許請求の範囲】
【請求項１】
第１波長域の第１コヒーレント光および前記第１波長域とは異なる第２波長域の第２コヒーレント光を回折し得るホログラム記録媒体と、
前記第１コヒーレント光および前記第２コヒーレント光が前記ホログラム記録媒体上を走査するように、波長域が異なる複数のコヒーレント光を照射する照射装置と、を備え、
前記照射装置から前記ホログラム記録媒体の各位置に入射した前記第１コヒーレント光が、それぞれ、前記ホログラム記録媒体で回折されて少なくとも一部分において互いに重なり合う領域を照明し、且つ、前記照射装置から前記ホログラム記録媒体の各位置に入射した前記第２コヒーレント光が、それぞれ、前記ホログラム記録媒体で回折されて少なくとも一部分において互いに重なり合う領域を照明するように、前記照射装置および前記ホログラム記録媒体が配置されており、
照明される領域における互いに重なり合う部分内のある一点に種々の方向から入射するようになる前記第２コヒーレント光の二つの入射方向によってなされる最大の角度は、照明される領域における互いに重なり合う部分内のある一点に種々の方向から入射する前記第１コヒーレント光の二つの入射方向によってなされる最大の角度よりも大きく、
前記ホログラム記録媒体は、各波長域のコヒーレント光にそれぞれ対応して、複数設けられ、前記複数のホログラム記録媒体はある一平面上に並べられており、
前記照射装置は、前記波長域が異なる複数のコヒーレント光を合成してなる合成光を生成する光源機構と、前記光源機構からの前記合成光の進行方向を変化させて、当該合成光が前記ホログラム記録媒体上を走査するようにする走査デバイスと、を含み、
前記照射装置は、前記合成光が並べて配置された複数のホログラム記録媒体上を直線状の走査経路に沿って走査するように、前記合成光を照射し、
前記第２コヒーレント光に対応したホログラム記録媒体上における前記合成光の走査経路の長さは、前記第１コヒーレント光に対応したホログラム記録媒体上における前記合成光の走査経路の長さよりも長い、照明装置。
【請求項２】
前記ホログラム記録媒体は、前記第１波長域および前記第２波長域とは異なる第３波長域の第３コヒーレント光を回折し得り、
前記照射装置は、前記ホログラム記録媒体上を走査するように前記第３コヒーレント光を照射し、
前記照射装置から前記ホログラム記録媒体の各位置に入射した前記第３コヒーレント光が、それぞれ、前記ホログラム記録媒体で回折されて少なくとも一部分において互いに重なり合う領域を照明するように、前記照射装置および前記ホログラム記録媒体が配置されており、
照明される領域における互いに重なり合う部分内のある一点に種々の方向から入射するようになる前記第２コヒーレント光の二つの入射方向によってなされる最大の角度は、照明される領域における互いに重なり合う部分内のある一点に種々の方向から入射する前記第３コヒーレント光の二つの入射方向によってなされる最大の角度よりも大きく、
前記第１波長域は第１の原色成分に対応し、前記第２波長域は前記第１波長域よりも長波長側で第２の原色成分に対応し、前記第３波長域は前記第２波長域よりも長波長側で第３の原色成分に対応している、請求項１に記載の照明装置。
【請求項３】
前記合成光の走査経路と平行な方向に沿った、前記第２コヒーレント光に対応したホログラム記録媒体の幅は、前記合成光の走査経路と平行な方向に沿った、前記第１コヒーレント光に対応したホログラム記録媒体の幅よりも長い、請求項１又は２に記載の照明装置。
【請求項４】
前記第１コヒーレント光によって照明される領域における互いに重なり合う部分および前記第２コヒーレント光によって照明される領域における互いに重なり合う部分は互いに重なり合っており、
前記ホログラム記録媒体は、各波長域のコヒーレント光にそれぞれ対応して、複数設けられ、
前記第２コヒーレント光に対応したホログラム記録媒体は、前記第１コヒーレント光に対応したホログラム記録媒体よりも、前記互いに重なり合う部分に接近して配置されている、請求項１〜３のいずれか一項に記載の照明装置。
【請求項５】
第１波長域の第１コヒーレント光および前記第１波長域とは異なる第２波長域の第２コヒーレント光を回折し得るホログラム記録媒体と、
前記第１コヒーレント光および前記第２コヒーレント光が前記ホログラム記録媒体上を走査するように、波長域が異なる複数のコヒーレント光を照射する照射装置と、を備え、
前記照射装置から前記ホログラム記録媒体の各位置に入射した前記第１コヒーレント光が、それぞれ、前記ホログラム記録媒体で回折されて少なくとも一部分において互いに重なり合う領域を照明し、且つ、前記照射装置から前記ホログラム記録媒体の各位置に入射した前記第２コヒーレント光が、それぞれ、前記ホログラム記録媒体で回折されて少なくとも一部分において互いに重なり合う領域を照明するように、前記照射装置および前記ホログラム記録媒体が配置されており、
照明される領域における互いに重なり合う部分内のある一点に種々の方向から入射するようになる前記第２コヒーレント光の二つの入射方向によってなされる最大の角度は、照明される領域における互いに重なり合う部分内のある一点に種々の方向から入射する前記第１コヒーレント光の二つの入射方向によってなされる最大の角度よりも大きく、
前記第１コヒーレント光によって照明される領域における互いに重なり合う部分および前記第２コヒーレント光によって照明される領域における互いに重なり合う部分は互いに重なり合っており、
前記ホログラム記録媒体は、各波長域のコヒーレント光にそれぞれ対応して、複数設けられ、
前記第２コヒーレント光に対応したホログラム記録媒体は、前記第１コヒーレント光に対応したホログラム記録媒体よりも、前記互いに重なり合う部分に接近して配置されている、照明装置。
【請求項６】
前記照射装置は、前記波長域が異なる複数のコヒーレント光をそれぞれ生成する複数の光源と、前記複数の光源からのコヒーレント光の進行方向を変化させて、当該コヒーレント光が前記ホログラム記録媒体上を走査するようにする走査デバイスと、を含み、
前記波長域が異なる複数のコヒーレント光は、互いに異なる方向から同一の走査デバイスに入射して、互いに異なる方向へ進行方向を変更させられる、請求項４又は５に記載の照明装置。
【請求項７】
前記第２コヒーレント光が前記ホログラム記録媒体上を走査する速度は、前記第１コヒーレント光が前記ホログラム記録媒体上を走査する速度よりも速い、請求項１〜６にずれか一項に記載の照明装置。
【請求項８】
各コヒーレント光は、それぞれ、前記ホログラム記録媒体上の一定の走査経路を周期的に走査し、
前記第２コヒーレント光が走査する前記ホログラム記録媒体上の前記一定の走査経路の長さは、前記第１コヒーレント光が走査する前記ホログラム記録媒体上の前記一定の走査経路の長さよりも長い、請求項１〜７のいずれか一項に記載の照明装置。
【請求項９】
第１波長域の第１コヒーレント光および前記第１波長域とは異なる第２波長域の第２コヒーレント光を回折し得るホログラム記録媒体と、
前記第１コヒーレント光および前記第２コヒーレント光が前記ホログラム記録媒体上を走査するように、波長域が異なる複数のコヒーレント光を照射する照射装置と、を備え、
前記照射装置から前記ホログラム記録媒体の各位置に入射した前記第１コヒーレント光が、それぞれ、前記ホログラム記録媒体で回折されて少なくとも一部分において互いに重なり合う領域を照明し、且つ、前記照射装置から前記ホログラム記録媒体の各位置に入射した前記第２コヒーレント光が、それぞれ、前記ホログラム記録媒体で回折されて少なくとも一部分において互いに重なり合う領域を照明するように、前記照射装置および前記ホログラム記録媒体が配置されており、
照明される領域における互いに重なり合う部分内のある一点に種々の方向から入射するようになる前記第２コヒーレント光の二つの入射方向によってなされる最大の角度は、照明される領域における互いに重なり合う部分内のある一点に種々の方向から入射する前記第１コヒーレント光の二つの入射方向によってなされる最大の角度よりも大きく、
各コヒーレント光は、それぞれ、前記ホログラム記録媒体上の一定の走査経路を周期的に走査し、
前記第２コヒーレント光が走査する前記ホログラム記録媒体上の前記一定の走査経路の長さは、前記第１コヒーレント光が走査する前記ホログラム記録媒体上の前記一定の走査経路の長さよりも長い、照明装置。
【請求項１０】
前記照射装置は、前記波長域が異なる複数のコヒーレント光をそれぞれ生成する複数の光源と、各光源からのコヒーレント光にそれぞれ対応して設けられ、対応する光源からのコヒーレント光の進行方向を変化させて当該コヒーレント光が前記ホログラム記録媒体上を走査するようにする、複数の走査デバイスと、を含み、
前記複数の走査デバイスの各々は、対応するコヒーレント光が前記ホログラム記録媒体上において、第１方向に沿って一定の第１方向振動数で振動するとともに前記第１方向と交差する第２方向に沿っても前記第１方向振動数以下の一定の第２方向振動数で振動するように、対応するコヒーレント光の進行方向を変化させ、
前記第２コヒーレント光の進行方向を変化させる走査デバイスの前記第２方向振動数に対する前記第１方向振動数の比の値は、前記第１コヒーレント光の進行方向を変化させる走査デバイスの前記第２方向振動数に対する前記第１方向振動数の比の値よりも大きい、請求項８又は９に記載の照明装置。
【請求項１１】
第１波長域の第１コヒーレント光および前記第１波長域とは異なる第２波長域の第２コヒーレント光を回折し得るホログラム記録媒体と、
前記第１コヒーレント光および前記第２コヒーレント光が前記ホログラム記録媒体上を走査するように、波長域が異なる複数のコヒーレント光を照射する照射装置と、を備え、
前記照射装置から前記ホログラム記録媒体の各位置に入射した前記第１コヒーレント光が、それぞれ、前記ホログラム記録媒体で回折されて少なくとも一部分において互いに重なり合う領域を照明し、且つ、前記照射装置から前記ホログラム記録媒体の各位置に入射した前記第２コヒーレント光が、それぞれ、前記ホログラム記録媒体で回折されて少なくとも一部分において互いに重なり合う領域を照明するように、前記照射装置および前記ホログラム記録媒体が配置されており、
前記第２コヒーレント光が前記ホログラム記録媒体上を走査する速度が、前記第１のコヒーレント光が前記ホログラム記録媒体上を走査する速度よりも速く、
照明される領域における互いに重なり合う部分内のある一点に種々の方向から入射するようになる各コヒーレント光の二つの入射方向によってなされる最大の角度は、前記複数のコヒーレント光の間で同一である、照明装置。
【請求項１２】
前記ホログラム記録媒体は、前記第１波長域および前記第２波長域とは異なる第３波長域の第３コヒーレント光を回折し得り、
前記照射装置は、前記ホログラム記録媒体上を走査するように前記第３コヒーレント光を照射し、
前記照射装置から前記ホログラム記録媒体の各位置に入射した前記第３コヒーレント光が、それぞれ、前記ホログラム記録媒体で回折されて少なくとも一部分において互いに重なり合う領域を照明するように、前記照射装置および前記ホログラム記録媒体が配置されており、
前記第２コヒーレント光が前記ホログラム記録媒体上を走査する速度が、前記第３コヒーレント光が前記ホログラム記録媒体上を走査する速度よりも速く、
前記第１波長域は第１の原色成分に対応し、前記第２波長域は前記第１波長域よりも長波長側で第２の原色成分に対応し、前記第３波長域は前記第２波長域よりも長波長側で第３の原色成分に対応している、請求項１１に記載の照明装置。
【請求項１３】
第１波長域の第１コヒーレント光前記第１波長域とは異なる第２波長域の第２コヒーレント光を回折し得るホログラム記録媒体と、
前記第１コヒーレント光および前記第２コヒーレント光が前記ホログラム記録媒体上を走査するように、波長域が異なる複数のコヒーレント光を照射する照射装置と、を備え、  前記照射装置から前記ホログラム記録媒体の各位置に入射した前記第１コヒーレント光が、それぞれ、前記ホログラム記録媒体で回折されて少なくとも一部分において互いに重なり合う領域を照明し、且つ、前記照射装置から前記ホログラム記録媒体の各位置に入射した前記第２コヒーレント光が、それぞれ、前記ホログラム記録媒体で回折されて少なくとも一部分において互いに重なり合う領域を照明するように、前記照射装置および前記ホログラム記録媒体が配置されており、
前記複数のコヒーレント光の各々は、それぞれ、前記ホログラム記録媒体上の一定の走査経路を周期的に走査し、
前記第２コヒーレントが走査する前記ホログラム記録媒体上の前記一定の走査経路の長さは、前記第１コヒーレントが走査する前記ホログラム記録媒体上の前記一定の走査経路の長さよりも長く、
照明される領域における互いに重なり合う部分内のある一点に種々の方向から入射するようになる各コヒーレント光の二つの入射方向によってなされる最大の角度は、前記複数のコヒーレント光の間で同一である、照明装置。
【請求項１４】
前記ホログラム記録媒体は、前記第１波長域および前記第２波長域とは異なる第３波長域の第３コヒーレント光を回折し得り、
前記照射装置は、前記ホログラム記録媒体上を走査するように前記第３コヒーレント光を照射し、
前記照射装置から前記ホログラム記録媒体の各位置に入射した前記第３コヒーレント光が、それぞれ、前記ホログラム記録媒体で回折されて少なくとも一部分において互いに重なり合う領域を照明するように、前記照射装置および前記ホログラム記録媒体が配置されており、
前記第３コヒーレント光は、前記ホログラム記録媒体上の一定の走査経路を周期的に走査し、
前記第２コヒーレントが走査する前記ホログラム記録媒体上の前記一定の走査経路の長さは、前記第３コヒーレントが走査する前記ホログラム記録媒体上の前記一定の走査経路の長さよりも長く、
前記第１波長域は第１の原色成分に対応し、前記第２波長域は前記第１波長域よりも長波長側で第２の原色成分に対応し、前記第３波長域は前記第２波長域よりも長波長側で第３の原色成分に対応している、請求項１３に記載の照明装置。
【請求項１５】
前記ホログラム記録媒体は、各波長域のコヒーレント光にそれぞれ対応して、複数設けられている、請求項１，２，５，９および１１〜１４のいずれか一項に記載の照明装置。
【請求項１６】
各波長域のコヒーレント光にそれぞれ対応して設けられた複数のホログラム記録媒体は、ある一平面上に配置されている、請求項１５に記載の照明装置。
【請求項１７】
各波長域のコヒーレント光にそれぞれ対応して設けられた複数のホログラム記録媒体は、重ねて配置されている、請求項１５に記載の照明装置。
【請求項１８】
前記照射装置は、前記波長域が異なる複数のコヒーレント光を合成してなる合成光を生成する光源機構と、前記光源機構からの前記合成光の進行方向を変化させて、当該合成光が前記ホログラム記録媒体上を走査するようにする走査デバイスと、を含み、
前記光源機構は、各波長域のコヒーレント光をそれぞれ生成する複数の光源と、前記複数の光源からのコヒーレント光を合成する合成デバイスと、を有する、請求項１，２，５，９および１１〜１７のいずれか一項に記載の照明装置。
【請求項１９】
前記照射装置は、前記波長域が異なる複数のコヒーレント光をそれぞれ生成する複数の光源と、各光源からのコヒーレント光にそれぞれ対応して設けられ、対応する光源からのコヒーレント光の進行方向を変化させて当該コヒーレント光が前記ホログラム記録媒体上を走査するようにする、複数の走査デバイスと、を含む、請求項１，２，５，９および１１〜１７のいずれか一項に記載の照明装置。
【請求項２０】
前記照射装置は、前記波長域が異なる複数のコヒーレント光をそれぞれ生成する複数の光源と、前記複数の光源からのコヒーレント光の進行方向を変化させて、当該コヒーレント光が前記ホログラム記録媒体上を走査するようにする走査デバイスと、を含み、
前記波長域が異なる複数のコヒーレント光は、互いに異なる方向から同一の走査デバイスに入射して、互いに異なる方向へ進行方向を変更させられる、請求項１，２，５，９および１１〜１７のいずれか一項に記載の照明装置。
【請求項２１】
各光源がコヒーレント光を生成している時期は同一ではない、請求項１８〜２０のいずれか一項に記載の照明装置。
【請求項２２】
入射光の進行方向を変化させる光拡散素子と、
第１波長域の第１コヒーレント光および前記第１波長域とは異なる第２波長域の第２コヒーレント光が前記光拡散素子上を走査するように、波長域が異なる複数のコヒーレント光を照射する照射装置と、を備え、
前記照射装置から前記光拡散素子の各位置に入射した前記第１コヒーレント光が、それぞれ、前記光拡散素子によって進行方向を変化させられて少なくとも一部分において互いに重なり合う領域を照明し、前記照射装置から前記光拡散素子の各位置に入射した前記第２コヒーレント光が、それぞれ、前記光拡散素子によって進行方向を変化させられて少なくとも一部分において互いに重なり合う領域を照明するように、前記照射装置および前記光拡散素子が配置されており、
前記第２コヒーレント光が前記光拡散素子上を走査する速度が、前記第１のコヒーレント光が前記光拡散素子上を走査する速度よりも速く、
照明される領域における互いに重なり合う部分内のある一点に種々の方向から入射するようになる各コヒーレント光の二つの入射方向によってなされる最大の角度は、前記複数のコヒーレント光の間で同一である、照明装置。
【請求項２３】
前記照射装置は、前記光拡散素子上を走査するように、前記第１波長域および前記第２波長域とは異なる第３波長域の第３コヒーレント光を照射し、
前記照射装置から前記光拡散素子の各位置に入射した前記第３コヒーレント光が、それぞれ、前記光拡散素子によって進行方向を変化させられて少なくとも一部分において互いに重なり合う領域を照明するように、前記照射装置および前記光拡散素子が配置され、
前記第２コヒーレント光が前記光拡散素子上を走査する速度が、前記第３コヒーレント光が前記光拡散素子上を走査する速度よりも速く、
前記第１波長域は第１の原色成分に対応し、前記第２波長域は前記第１波長域よりも長波長側で第２の原色成分に対応し、前記第３波長域は前記第２波長域よりも長波長側で第３の原色成分に対応している、請求項２２に記載の照明装置。
【請求項２４】
入射光の進行方向を変化させる光拡散素子と、
第１波長域の第１コヒーレント光および前記第１波長域とは異なる第２波長域の第２コヒーレント光が前記光拡散素子上を走査するように、波長域が異なる複数のコヒーレント光を照射する照射装置と、を備え、
前記照射装置から前記光拡散素子の各位置に入射した前記第１コヒーレント光が、それぞれ、前記光拡散素子によって進行方向を変化させられて少なくとも一部分において互いに重なり合う領域を照明し、前記照射装置から前記光拡散素子の各位置に入射した前記第２コヒーレント光が、それぞれ、前記光拡散素子によって進行方向を変化させられて少なくとも一部分において互いに重なり合う領域を照明するように、前記照射装置および前記光拡散素子が配置されており、
前記複数のコヒーレント光の各々は、それぞれ、前記光拡散素子上の一定の走査経路を周期的に走査し、
前記第２コヒーレントが走査する前記光拡散素子上の前記一定の走査経路の長さは、前記第１コヒーレントが走査する前記光拡散素子上の前記一定の走査経路の長さよりも長く、
照明される領域における互いに重なり合う部分内のある一点に種々の方向から入射するようになる各コヒーレント光の二つの入射方向によってなされる最大の角度は、前記複数のコヒーレント光の間で同一である、照明装置。
【請求項２５】
前記照射装置は、前記光拡散素子上を走査するように、前記第１波長域および前記第２波長域とは異なる第３波長域の第３コヒーレント光を照射し、
前記照射装置から前記光拡散素子の各位置に入射した前記第３コヒーレント光が、それぞれ、前記光拡散素子によって進行方向を変化させられて少なくとも一部分において互いに重なり合う領域を照明するように、前記照射装置および前記光拡散素子が配置され、
前記第３コヒーレント光は、前記光拡散素子上の一定の走査経路を周期的に走査し、
前記第２コヒーレントが走査する前記光拡散素子上の前記一定の走査経路の長さは、前記第３コヒーレントが走査する前記光拡散素子上の前記一定の走査経路の長さよりも長く、
前記第１波長域は第１の原色成分に対応し、前記第２波長域は前記第１波長域よりも長波長側で第２の原色成分に対応し、前記第３波長域は前記第２波長域よりも長波長側で第３の原色成分に対応している、請求項２４に記載の照明装置。
【請求項２６】
前記光拡散素子はレンズアレイである、請求項２２〜２５のいずれか一項に記載の照明装置。
【請求項２７】
請求項１〜２１のいずれか一項に記載の照明装置と、
前記照射装置から前記ホログラム記録媒体の各位置に入射して回折された前記コヒーレント光によって照明される位置に配置された空間光変調器と、を備える投射装置。
【請求項２８】
請求項２２〜２６のいずれか一項に記載の照明装置と、
前記照射装置から前記光拡散素子の各位置に入射して進行方向を変化させられた前記コヒーレント光によって照明される位置に配置された空間光変調器と、を備える投射装置。
【請求項２９】
前記空間光変調器上に得られる変調画像をスクリーン上に投射する投射光学系を、さらに備える、請求項２７または２８に記載の投射装置。
【請求項３０】
前記ホログラム記録媒体で回折されたコヒーレント光によって照明される領域における互いに重なり合う部分は、前記複数のコヒーレント光の間で、互いに異なる位置に位置し、
前記空間光変調器は、前記複数のコヒーレント光のそれぞれに対応して複数設けられ、
各空間光変調器は、対応するコヒーレント光によって照明される領域における互いに重なり合う部分と重なるようにして配置され、
各空間光変調器上に得られる変調画像を合成して投射する合成投射光学系がさらに設けられている、請求項２７に記載の投射装置。
【請求項３１】
前記光拡散素子で進行方向を変化させられたコヒーレント光によって照明される領域における互いに重なり合う部分は、前記複数のコヒーレント光の間で、互いに異なる位置に位置し、
前記空間光変調器は、前記複数のコヒーレント光のそれぞれに対応して複数設けられ、
各空間光変調器は、対応するコヒーレント光によって照明される領域における互いに重なり合う部分と重なるようにして配置され、
各空間光変調器上に得られる変調画像を合成して投射する合成投射光学系がさらに設けられている、請求項２８に記載の投射装置。
【請求項３２】
請求項２７〜３１のいずれか一項に記載の投射装置と、
前記空間光変調器上に得られる変調画像を投影されるスクリーンと、を備える、投射型映像表示装置。
【請求項３３】
請求項１〜２１のいずれか一項に記載の照明装置と、
前記照射装置から前記ホログラム記録媒体の各位置に入射して回折された前記コヒーレント光によって照明されるスクリーンと、を備え、
前記ホログラム記録媒体で回折されたコヒーレント光によって照明される領域における互いに重なり合う部分は、前記複数のコヒーレント光の間で、互いに重なり合っており、
前記スクリーンは、前記複数のコヒーレント光によって照明される領域における互いに重なり合う部分と重なるようにして配置されている、投射型映像表示装置。
【請求項３４】
請求項２２〜２６のいずれか一項に記載の照明装置と、
前記照射装置から前記光拡散素子の各位置に入射して進行方向を変化させられた前記コヒーレント光によって照明されるスクリーンと、を備え、
前記光拡散素子で進行方向を変化させられたコヒーレント光によって照明される領域における互いに重なり合う部分は、前記複数のコヒーレント光の間で、互いに重なり合っており、
前記スクリーンは、前記複数のコヒーレント光によって照明される領域における互いに重なり合う部分と重なるようにして配置されている、投射型映像表示装置。
【発明の詳細な説明】
【技術分野】
【０００１】
本発明は、被照明領域をコヒーレント光で照明する照明装置、コヒーレント光を投射する投射装置、コヒーレント光を用いて映像を表示する投射型映像表示装置に係り、とりわけ、スペックルの発生を目立たなくさせることができる照明装置、投射装置および投射型映像表示装置に関する。
【背景技術】
【０００２】
スクリーンと、スクリーン上に映像光を投射する投射装置と、を有した投射型映像表示装置が、広く使用されている。典型的な投射型映像表示装置では、液晶マイクロディスプレイやＤＭＤ（デジタルマイクロミラーデバイス：Digital Micromirror Device）といった空間光変調器を用いて元になる二次元画像を生成し、この二次元画像を投射光学系を利用してスクリーン上に拡大投影することにより、スクリーン上に映像を表示している。
【０００３】
投射装置としては、いわゆる「光学式プロジェクタ」と呼ばれている市販品を含めて、様々な方式のものが提案されている。一般的な光学式プロジェクタでは、高圧水銀ランプなどの白色光源からなる照明装置を用いて液晶ディスプレイ等の空間光変調器を照明し、得られた変調画像をレンズでスクリーン上に拡大投影する方式を採っている。たとえば、下記の特許文献１には、超高圧水銀ランプで発生させた白色光を、ダイクロイックミラーによってＲ，Ｇ，Ｂの三原色成分に分け、これらの光を各原色ごとの空間光変調器へ導き、生成された各原色ごとの変調画像をクロスダイクロイックプリズムによって合成してスクリーン上に投影する技術が開示されている。
【０００４】
ただし、高圧水銀ランプなどの高輝度放電ランプは、寿命が比較的短く、光学式プロジェクタなどに利用した場合、頻繁にランプ交換を行う必要がある。また、各原色成分の光を取り出すために、ダイクロイックミラーなどの比較的大型な光学系を利用する必要があるため、装置全体が大型化するという難点がある。
【０００５】
このような問題に対処するため、レーザなどのコヒーレント光源を用いる方式も提案されている。たとえば、産業上で広く利用されている半導体レーザは、高圧水銀ランプなどの高輝度放電ランプに比べて極めて長寿命である。また、単一波長の光を生成可能な光源であるため、ダイクロイックミラーなどの分光装置が不要になり、装置全体を小型化できるという利点も有する。
【０００６】
その一方で、レーザ光などのコヒーレント光源を用いる方式には、スペックルの発生といった新たな問題が生じている。スペックル（speckle）は、レーザ光などのコヒーレント光を散乱面に照射したときに現れる斑点状の模様であり、スクリーン上に発生すると斑点状の輝度ムラ（明るさのムラ）として観察され、観察者に対して生理的な悪影響を及ぼす要因になる。コヒーレント光を用いた場合にスペックルが発生する理由は、スクリーンなどの散乱反射面の各部で反射したコヒーレント光が、その極めて高い可干渉性ゆえに、互いに干渉し合うことによって生じるものとされている。たとえば、下記の非特許文献１には、スペックルの発生についての詳細な理論的考察がなされている。
【０００７】
このように、コヒーレント光源を用いる方式では、スペックルの発生という固有の問題が生じるため、スペックルの発生を抑制するための技術が提案されている。たとえば、下記の特許文献２には、レーザ光を散乱板に照射し、そこから得られる散乱光を空間光変調器に導くとともに、散乱板をモータによって回転駆動することにより、スペックルを低減する技術が開示されている。
【先行技術文献】
【特許文献】
【０００８】
【特許文献１】特開２００４−２６４５１２号公報
【特許文献２】特開平６−２０８０８９号公報
【非特許文献】
【０００９】
【非特許文献１】Speckle Phenomena in Optics, Joseph W. Goodman, Roberts & Co., 2006
【発明の概要】
【発明が解決しようとする課題】
【００１０】
上述したとおり、コヒーレント光源を用いた投射装置および投射型映像表示装置において、スペックルを低減する技術が提案されているが、これまでに提案された手法では、スペックルを効率的かつ十分に抑制することはできていない。たとえば、前掲の特許文献２に開示されている方法では、レーザ光を散乱板に照射して散乱させてしまうため、一部のレーザ光は映像表示に全く貢献することなく浪費されてしまう。また、スペックル低減のために散乱板を回転させる必要があるが、そのような機械的な回転機構は比較的大型の装置となり、また、電力消費も大きくなる。更に、散乱板を回転させたとしても、照明光の光軸の位置は変わらないため、スクリーン上で視認されるスペックルを十分に抑制することはできない。
【００１１】
また、スペックルは、投射装置や投射型映像表示装置に関する特有の問題ではなく、被照明領域にコヒーレント光を照明する照明装置を組み込んだ種々の装置において問題となっている。例えば、画像情報の読み取りを行うスキャナにも、読み取り対象となる対象物を照明する照明装置が組み込まれている。読み取り対象となる対象物を照明する光によってスペックルが生じた場合には、画像情報を正確に読み取ることができない。このような不都合を回避するため、コヒーレント光を利用したスキャナでは、画像補正等の特殊な処理を行う必要が生じている。
【００１２】
ところで、単一の光源から生成されるコヒーレント光は、レーザ光に代表されるように、典型的には単色光である。また、実用可能な光源から発生されるコヒーレント光は、特定波長（域）の光に限定される。その一方で、今日における多くの場合、単一の光源では表示することのできない所望の色や、複数の色、典型的にはフルカラーで、被照明領域を照明する或いは映像を表示することが望まれている。したがって、実際に開発される照明装置、投射装置および投射型表示装置は、今日における多様な用途に対応すべく、波長域が互いに異なる複数のコヒーレント光で被照明領域を照明すること、或いは、波長域が互いに異なる複数のコヒーレント光を用いて映像を表示することにも、好適に適用可能であることが好ましい。
【００１３】
なお、人間の眼の比視感度、すなわち、人間の眼による光の明るさの感じ方は、波長に応じて変化する。このため、比視感度の高い波長域の光ほど、スペックルも視認されやすくなる。したがって、このような点も踏まえて、スペックルを効果的に目立たなくさせることができれば好ましい。
【００１４】
本発明は、以上の点を考慮してなされたものであり、波長域が互いに異なる複数のコヒーレント光で被照明領域を照明する照明装置であって、スペックルを効果的に目立たなくさせることができる照明装置を提供すること、並びに、この照明装置を含んでなる投射装置および投射型映像表示装置を提供することを目的とする。
【課題を解決するための手段】
【００１５】
本発明による第１の照明装置は、
第１波長域の第１コヒーレント光および前記第１波長域とは異なる第２波長域の第２コヒーレント光を回折し得るホログラム記録媒体と、
前記第１コヒーレント光および前記第２コヒーレント光が前記ホログラム記録媒体上を走査するように、波長域が異なる複数のコヒーレント光を照射する照射装置と、を備え、
前記照射装置から前記ホログラム記録媒体の各位置に入射した前記第１コヒーレント光が、それぞれ、前記ホログラム記録媒体で回折されて少なくとも一部分において互いに重なり合う領域を照明し、且つ、前記照射装置から前記ホログラム記録媒体の各位置に入射した前記第２コヒーレント光が、それぞれ、前記ホログラム記録媒体で回折されて少なくとも一部分において互いに重なり合う領域を照明するように、前記照射装置および前記ホログラム記録媒体が配置されており、
照明される領域における互いに重なり合う部分内のある一点に種々の方向から入射するようになる前記第２コヒーレント光の二つの入射方向によってなされる最大の角度は、照明される領域における互いに重なり合う部分内のある一点に種々の方向から入射する前記第１コヒーレント光の二つの入射方向によってなされる最大の角度よりも大きい。
このような本発明による第１の照明装置において、照明される領域における互いに重なり合う部分内の中心点（重心の位置）に種々の方向から入射するようになる前記第２コヒーレント光の二つの入射方向によってなされる最大の角度が、照明される領域における互いに重なり合う部分内の中心点（重心の位置）に種々の方向から入射する前記第１コヒーレント光の二つの入射方向によってなされる最大の角度よりも大きくなっていてもよい。
このような本発明による第１の照明装置において、照明される領域における互いに重なり合う部分内（被照明領域）の任意の点に種々の方向から入射するようになる前記第２コヒーレント光の二つの入射方向によってなされる最大の角度は、照明される領域における互いに重なり合う部分内（被照明領域）の任意の点に種々の方向から入射する前記第１コヒーレント光の二つの入射方向によってなされる最大の角度よりも大きくなっていてもよい。
このような本発明による第１の照明装置において、前記照射装置から前記ホログラム記録媒体の各位置に入射した前記第２コヒーレント光が、それぞれ、前記第１コヒーレント光によって照明される領域における互いに重なり合う部分を照明するように、前記照射装置および前記ホログラム記録媒体が配置されていてもよい。
このような本発明による第１の照明装置において、明所標準比視感度を基準として、前記第２波長域の前記第２コヒーレント光は、前記第１波長域の前記第１コヒーレント光よりも高い比視感度を有してもよい。
【００１６】
本発明による第１の照明装置において、
前記ホログラム記録媒体は、前記第１波長域および前記第２波長域とは異なる第３波長域の第３コヒーレント光を回折し得り、
前記照射装置は、前記ホログラム記録媒体上を走査するように前記第３コヒーレント光を照射し、
前記照射装置から前記ホログラム記録媒体の各位置に入射した前記第３コヒーレント光が、それぞれ、前記ホログラム記録媒体で回折されて少なくとも一部分において互いに重なり合う領域を照明するように、前記照射装置および前記ホログラム記録媒体が配置されており、
照明される領域における互いに重なり合う部分内のある一点に種々の方向から入射するようになる前記第２コヒーレント光の二つの入射方向によってなされる最大の角度は、照明される領域における互いに重なり合う部分内のある一点に種々の方向から入射する前記第３コヒーレント光の二つの入射方向によってなされる最大の角度よりも大きく、
前記第１波長域は第１の原色成分に対応し、前記第２波長域は前記第１波長域よりも長波長側で第２の原色成分に対応し、前記第３波長域は前記第２波長域よりも長波長側で第３の原色成分に対応していてもよい。
このような本発明による第１の照明装置において、前記照射装置から前記ホログラム記録媒体の各位置に入射した前記第３コヒーレント光が、それぞれ、前記第１コヒーレント光および前記第２コヒーレント光によって照明される領域における互いに重なり合う部分を照明するように、前記照射装置および前記ホログラム記録媒体が配置されていてもよい。
【００１７】
本発明による第１の照明装置において
前記ホログラム記録媒体は、各波長域のコヒーレント光にそれぞれ対応して、複数設けられ、前記複数のホログラム記録媒体はある一平面上に並べられており、
前記照射装置は、前記波長域が異なる複数のコヒーレント光を合成してなる合成光を生成する光源機構と、前記光源機構からの前記合成光の進行方向を変化させて、当該合成光が前記ホログラム記録媒体上を走査するようにする走査デバイスと、を含み、
前記照射装置は、前記合成光が並べて配置された複数のホログラム記録媒体上を直線状の走査経路に沿って走査するように、前記合成光を照射し、
前記第２コヒーレント光に対応したホログラム記録媒体上における前記合成光の走査経路の長さは、前記第１コヒーレント光、あるいは、その他のすべてのコヒーレント光に対応したホログラム記録媒体上における前記合成光の走査経路の長さよりも長くなっていてもよい。
このような本発明による第１の照明装置において、前記合成光の走査経路と平行な方向に沿った、前記第２コヒーレント光に対応したホログラム記録媒体の幅は、前記合成光の走査経路と平行な方向に沿った、前記第１コヒーレント光、あるいは、その他のすべてのコヒーレント光に対応したホログラム記録媒体の幅よりも長くなっていてもよい。
【００１８】
本発明による第１の照明装置において、
前記第１コヒーレント光によって照明される領域における互いに重なり合う部分および前記第２コヒーレント光によって照明される領域における互いに重なり合う部分は互いに重なっており、
前記ホログラム記録媒体は、各波長域のコヒーレント光にそれぞれ対応して、複数設けられ、
前記第２コヒーレント光に対応したホログラム記録媒体は、前記第１コヒーレント光、あるいは、その他のすべてのコヒーレント光に対応したホログラム記録媒体よりも、照明される領域における互いに重なり合う部分に接近して配置されていてもよい。
このような本発明による第１の照明装置において、
前記照射装置は、前記波長域が異なる複数のコヒーレント光をそれぞれ生成する複数の光源と、前記複数の光源からのコヒーレント光の進行方向を変化させて、当該コヒーレント光が前記ホログラム記録媒体上を走査するようにする走査デバイスと、を含み、
前記波長域が異なる複数のコヒーレント光は、互いに異なる方向から同一の走査デバイスに入射して、互いに異なる方向へ進行方向を変更させられるようにしてもよい。
【００１９】
本発明による第１の照明装置において、前記第２コヒーレント光が前記ホログラム記録媒体上を走査する速度は、前記第１コヒーレント光、あるいは、その他のすべてのコヒーレント光が前記ホログラム記録媒体上を走査する速度よりも速くなっていてもよい。
このような本発明による第１の照明装置において、各コヒーレント光は、前記ホログラム記録媒体上の一定の走査経路を周期的に走査し、各コヒーレントが走査する前記ホログラム記録媒体上の前記一定の走査経路の長さは、互いに同一であってもよい。
【００２０】
本発明による第１の照明装置において、
各コヒーレント光は、それぞれ、前記ホログラム記録媒体上の一定の走査経路を周期的に走査し、
前記第２コヒーレントが走査する前記ホログラム記録媒体上の前記一定の走査経路の長さは、前記第１コヒーレント光、あるいは、その他のすべてのコヒーレント光）のコヒーレントが走査する前記ホログラム記録媒体上の前記一定の走査経路の長さよりも長くなっていてもよい。
【００２１】
このような本発明による第１の照明装置において、
前記照射装置は、前記波長域が異なる複数のコヒーレント光をそれぞれ生成する複数の光源と、各光源からのコヒーレント光にそれぞれ対応して設けられ、対応する光源からのコヒーレント光の進行方向を変化させて当該コヒーレント光が前記ホログラム記録媒体上を走査するようにする、複数の走査デバイスと、を含み、
前記複数の走査デバイスの各々は、対応するコヒーレント光が前記ホログラム記録媒体上において、第１方向に沿って一定の第１方向振動数で振動するとともに前記第１方向と交差する第２方向に沿っても前記第１方向振動数以下の一定の第２方向振動数で振動するように、対応するコヒーレント光の進行方向を変化させ、
前記第２コヒーレント光の進行方向を変化させる走査デバイスの前記第２方向振動数に対する前記第１方向振動数の比の値は、前記第１コヒーレント光、あるいは、その他のすべてのコヒーレント光の進行方向を変化させる走査デバイスの前記第２方向振動数に対する前記第１方向振動数の比の値よりも大きくなっていてもよい。
このような本発明による第１の照明装置において、各コヒーレント光が前記ホログラム記録媒体上で第１方向に沿って走査する長さは、互いに同一であり、且つ、各コヒーレント光が前記ホログラム記録媒体上で第２方向に沿って走査する長さは、互いに同一であってもよい。
このような本発明による第１の照明装置において、各コヒーレント光の進行方向を変化させる走査デバイスの前記第２方向振動数は、互いに同一であってもよい。
【００２２】
本発明による第２の照明装置は、
第１波長域の第１コヒーレント光を再生照明光として散乱板の像を再生し得り且つ前記第１波長域とは異なる第２波長域の第２コヒーレント光を再生照明光として散乱板の像を再生し得るホログラム記録媒体と、
前記第１コヒーレント光および前記第２コヒーレント光が前記ホログラム記録媒体上を走査するように、波長域が異なる複数のコヒーレント光を照射する照射装置と、を備え、
前記照射装置から前記ホログラム記録媒体の各位置に入射した前記第１コヒーレント光が、それぞれ、重ねて像を再生し、且つ、前記照射装置から前記ホログラム記録媒体の各位置に入射した前記第２コヒーレント光が、それぞれ、重ねて像を再生するように、前記照射装置および前記ホログラム記録媒体が配置されており、
像が再生される位置のある一点に種々の方向から入射するようになる前記第２コヒーレント光の二つの入射方向によってなされる最大の角度は、像が再生される位置のある一点に種々の方向から入射する前記第１コヒーレント光の二つの入射方向によってなされる最大の角度よりも大きい。
このような本発明による第２の照明装置において、再生された像の中心点（重心の位置）に種々の方向から入射するようになる前記第２コヒーレント光の二つの入射方向によってなされる最大の角度が、再生された像の中心点（重心の位置）に種々の方向から入射する前記第１コヒーレント光の二つの入射方向によってなされる最大の角度よりも大きくなっていてもよい。
このような本発明による第２の照明装置において、再生された像（被照明領域）の任意の点に種々の方向から入射するようになる前記第２コヒーレント光の二つの入射方向によってなされる最大の角度は、再生された像（被照明領域）の任意の点に種々の方向から入射する前記第１コヒーレント光の二つの入射方向によってなされる最大の角度よりも大きくなっていてもよい。
このような本発明による第２の照明装置において、前記照射装置から前記ホログラム記録媒体の各位置に入射した前記第２コヒーレント光が、それぞれ、前記第１コヒーレント光によって再生される像と重なる位置に、重ねて像を再生するように、前記照射装置および前記ホログラム記録媒体が配置されていてもよい。
このような本発明による第２の照明装置において、明所標準比視感度を基準として、前記第２波長域の前記第２コヒーレント光は、前記第１波長域の前記第１コヒーレント光よりも高い比視感度を有してもよい。
【００２３】
本発明による第２の照明装置において、
前記ホログラム記録媒体は、前記第１波長域および前記第２波長域とは異なる第３波長域の第３コヒーレント光を再生照明光として散乱板の像を再生し得り、
前記照射装置は、前記ホログラム記録媒体上を走査するように前記第３コヒーレント光を照射し、
前記照射装置から前記ホログラム記録媒体の各位置に入射した前記第３コヒーレント光が、それぞれ、重ねて像を再生するように、前記照射装置および前記ホログラム記録媒体が配置されており、
像が再生される位置のある一点に種々の方向から入射するようになる前記第２コヒーレント光の二つの入射方向によってなされる最大の角度は、像が再生される位置のある一点に種々の方向から入射する前記第３コヒーレント光の二つの入射方向によってなされる最大の角度よりも大きく、
前記第１波長域は第１の原色成分に対応し、前記第２波長域は前記第１波長域よりも長波長側で第２の原色成分に対応し、前記第３波長域は前記第２波長域よりも長波長側で第３の原色成分に対応していてもよい。
このような本発明による第２の照明装置において、前記照射装置から前記ホログラム記録媒体の各位置に入射した前記第３コヒーレント光が、それぞれ、前記第１コヒーレント光および前記第２コヒーレント光によって再生される像と重なる位置に、重ねて像を再生するように、前記照射装置および前記ホログラム記録媒体が配置されていてもよい。
【００２４】
本発明による第２の照明装置において
前記ホログラム記録媒体は、各波長域のコヒーレント光にそれぞれ対応して、複数設けられ、前記複数のホログラム記録媒体はある一平面上に並べられており、
前記照射装置は、前記波長域が異なる複数のコヒーレント光を合成してなる合成光を生成する光源機構と、前記光源機構からの前記合成光の進行方向を変化させて、当該合成光が前記ホログラム記録媒体上を走査するようにする走査デバイスと、を含み、
前記照射装置は、前記合成光が並べて配置された複数のホログラム記録媒体上を直線状の走査経路に沿って走査するように、前記合成光を照射し、
前記第２コヒーレント光に対応したホログラム記録媒体上における前記合成光の走査経路の長さは、前記第１コヒーレント光、あるいは、その他のすべてのコヒーレント光に対応したホログラム記録媒体上における前記合成光の走査経路の長さよりも長くなっていてもよい。
このような本発明による第２の照明装置において、前記合成光の走査経路と平行な方向に沿った、前記第２コヒーレント光に対応したホログラム記録媒体の幅は、前記合成光の走査経路と平行な方向に沿った、前記第１コヒーレント光、あるいは、その他のすべてのコヒーレント光に対応したホログラム記録媒体の幅よりも長くなっていてもよい。
【００２５】
本発明による第２の照明装置において、
前記第１コヒーレント光によって再生される像および前記第２コヒーレント光によって再生される像は重なる位置に再生され、
前記ホログラム記録媒体は、各波長域のコヒーレント光にそれぞれ対応して、複数設けられ、
前記第２コヒーレント光に対応したホログラム記録媒体は、前記第１コヒーレント光、あるいは、その他のすべてのコヒーレント光に対応したホログラム記録媒体よりも、像が再生される位置に接近して配置されていてもよい。
このような本発明による第２の照明装置において、
前記照射装置は、前記波長域が異なる複数のコヒーレント光をそれぞれ生成する複数の光源と、前記複数の光源からのコヒーレント光の進行方向を変化させて、当該コヒーレント光が前記ホログラム記録媒体上を走査するようにする走査デバイスと、を含み、
前記波長域が異なる複数のコヒーレント光は、互いに異なる方向から同一の走査デバイスに入射して、互いに異なる方向へ進行方向を変更させられるようにしてもよい。
【００２６】
本発明による第２の照明装置において、前記第２コヒーレント光が前記ホログラム記録媒体上を走査する速度は、前記第１コヒーレント光、あるいは、その他のすべてのコヒーレント光が前記ホログラム記録媒体上を走査する速度よりも速くなっていてもよい。
このような本発明による第２の照明装置において、各コヒーレント光は、前記ホログラム記録媒体上の一定の走査経路を周期的に走査し、各コヒーレントが走査する前記ホログラム記録媒体上の前記一定の走査経路の長さは、互いに同一であってもよい。
【００２７】
本発明による第２の照明装置において、
各コヒーレント光は、それぞれ、前記ホログラム記録媒体上の一定の走査経路を周期的に走査し、
前記第２コヒーレントが走査する前記ホログラム記録媒体上の前記一定の走査経路の長さは、前記第１コヒーレント光、あるいは、その他のすべてのコヒーレント光が走査する前記ホログラム記録媒体上の前記一定の走査経路の長さよりも長くなっていてもよい。
【００２８】
このような本発明による第２の照明装置において、
前記照射装置は、前記波長域が異なる複数のコヒーレント光をそれぞれ生成する複数の光源と、各光源からのコヒーレント光にそれぞれ対応して設けられ、対応する光源からのコヒーレント光の進行方向を変化させて当該コヒーレント光が前記ホログラム記録媒体上を走査するようにする、複数の走査デバイスと、を含み、
前記複数の走査デバイスの各々は、対応するコヒーレント光が前記ホログラム記録媒体上において、第１方向に沿って一定の第１方向振動数で振動するとともに前記第１方向と交差する第２方向に沿っても前記第１方向振動数以下の一定の第２方向振動数で振動するように、対応するコヒーレント光の進行方向を変化させ、
前記第２コヒーレント光の進行方向を変化させる走査デバイスの前記第２方向振動数に対する前記第１方向振動数の比の値は、前記第１コヒーレント光、あるいは、その他のすべてのコヒーレント光の進行方向を変化させる走査デバイスの前記第２方向振動数に対する前記第１方向振動数の比の値よりも大きくなっていてもよい。
このような本発明による第１の照明装置において、各コヒーレント光が前記ホログラム記録媒体上で第１方向に沿って走査する長さは、互いに同一であり、且つ、各コヒーレント光が前記ホログラム記録媒体上で第２方向に沿って走査する長さは、互いに同一であってもよい。
このような本発明による第２の照明装置において、各コヒーレント光の進行方向を変化させる走査デバイスの前記第２方向振動数は、互いに同一であってもよい。
【００２９】
本発明による第３の照明装置は、
第１波長域の第１コヒーレント光および前記第１波長域とは異なる第２波長域の第２コヒーレント光を回折し得るホログラム記録媒体と、
前記第１コヒーレント光および前記第２コヒーレント光が前記ホログラム記録媒体上を走査するように、波長域が異なる複数のコヒーレント光を照射する照射装置と、を備え、
前記照射装置から前記ホログラム記録媒体の各位置に入射した前記第１コヒーレント光が、それぞれ、前記ホログラム記録媒体で回折されて少なくとも一部分において互いに重なり合う領域を照明し、且つ、前記照射装置から前記ホログラム記録媒体の各位置に入射した前記第２コヒーレント光が、それぞれ、前記ホログラム記録媒体で回折されて少なくとも一部分において互いに重なり合う領域を照明するように、前記照射装置および前記ホログラム記録媒体が配置されており、
前記第２コヒーレント光が前記ホログラム記録媒体上を走査する速度が、前記第１のコヒーレント光が前記ホログラム記録媒体上を走査する速度よりも速い。
このような本発明による第３の照明装置において、前記照射装置から前記ホログラム記録媒体の各位置に入射した前記第２コヒーレント光が、それぞれ、前記第１コヒーレント光によって照明される領域における互いに重なり合う部分を照明するように、前記照射装置および前記ホログラム記録媒体が配置されていてもよい。
このような本発明による第３の照明装置において、明所標準比視感度を基準として、前記第２波長域の前記第２コヒーレント光は、前記第１波長域の前記第１コヒーレント光よりも高い比視感度を有してもよい。
【００３０】
本発明による第３の照明装置において、
前記ホログラム記録媒体は、前記第１波長域および前記第２波長域とは異なる第３波長域の第３コヒーレント光を回折し得り、
前記照射装置は、前記ホログラム記録媒体上を走査するように前記第３コヒーレント光を照射し、
前記照射装置から前記ホログラム記録媒体の各位置に入射した前記第３コヒーレント光が、それぞれ、前記ホログラム記録媒体で回折されて少なくとも一部分において互いに重なり合う領域を照明するように、前記照射装置および前記ホログラム記録媒体が配置されており、
前記第２コヒーレント光が前記ホログラム記録媒体上を走査する速度が、前記第３コヒーレント光が前記ホログラム記録媒体上を走査する速度よりも速く、
前記第１波長域は第１の原色成分に対応し、前記第２波長域は前記第１波長域よりも長波長側で第２の原色成分に対応し、前記第３波長域は前記第２波長域よりも長波長側で第３の原色成分に対応していてもよい。
このような本発明による第３の照明装置において、前記照射装置から前記ホログラム記録媒体の各位置に入射した前記第３コヒーレント光が、それぞれ、前記第１コヒーレント光および前記第２コヒーレント光によって照明される領域における互いに重なり合う部分を照明するように、前記照射装置および前記ホログラム記録媒体が配置されていてもよい。
【００３１】
このような本発明による第３の照明装置において、照明される領域における互いに重なり合う部分内（被照明領域）のある一点に種々の方向から入射するようになる各コヒーレント光の二つの入射方向によってなされる最大の角度は、前記複数のコヒーレント光の間で同一であってもよい。
【００３２】
本発明による第４の照明装置は、
第１波長域の第１コヒーレント光を再生照明光として散乱板の像を再生し得り且つ前記第１波長域とは異なる第２波長域の第２コヒーレント光を再生照明光として散乱板の像を再生し得るホログラム記録媒体と、
前記第１コヒーレント光および前記第２コヒーレント光が前記ホログラム記録媒体上を走査するように、波長域が異なる複数のコヒーレント光を照射する照射装置と、を備え、
前記照射装置から前記ホログラム記録媒体の各位置に入射した前記第１コヒーレント光が、それぞれ、重ねて像を再生し、且つ、前記照射装置から前記ホログラム記録媒体の各位置に入射した前記第２コヒーレント光が、それぞれ、重ねて像を再生するように、前記照射装置および前記ホログラム記録媒体が配置されており、
前記第２コヒーレント光が前記ホログラム記録媒体上を走査する速度が、前記第１のコヒーレント光が前記ホログラム記録媒体上を走査する速度よりも速い。
このような本発明による第４の照明装置において、前記照射装置から前記ホログラム記録媒体の各位置に入射した前記第２コヒーレント光が、それぞれ、前記第１コヒーレント光によって再生される像と重なる位置に、重ねて像を再生するように、前記照射装置および前記ホログラム記録媒体が配置されていてもよい。
このような本発明による第４の照明装置において、明所標準比視感度を基準として、前記第２波長域の前記第２コヒーレント光は、前記第１波長域の前記第１コヒーレント光よりも高い比視感度を有してもよい。
【００３３】
本発明による第４の照明装置において、
前記ホログラム記録媒体は、前記第１波長域および前記第２波長域とは異なる第３波長域の第３コヒーレント光を再生照明光として散乱板の像を再生し得り、
前記照射装置は、前記ホログラム記録媒体上を走査するように前記第３コヒーレント光を照射し、
前記照射装置から前記ホログラム記録媒体の各位置に入射した前記第３コヒーレント光が、それぞれ、重ねて像を再生するように、前記照射装置および前記ホログラム記録媒体が配置されており、
前記第２コヒーレント光が前記ホログラム記録媒体上を走査する速度が、前記第３コヒーレント光が前記ホログラム記録媒体上を走査する速度よりも速く、
前記第１波長域は第１の原色成分に対応し、前記第２波長域は前記第１波長域よりも長波長側で第２の原色成分に対応し、前記第３波長域は前記第２波長域よりも長波長側で第３の原色成分に対応していてもよい。
このような本発明による第４の照明装置において、前記照射装置から前記ホログラム記録媒体の各位置に入射した前記第３コヒーレント光が、それぞれ、前記第１コヒーレント光および前記第２コヒーレント光によって再生される像と重なる位置に、重ねて像を再生するように、前記照射装置および前記ホログラム記録媒体が配置されていてもよい。
【００３４】
このような本発明による第４の照明装置において、像が再生される位置（被照明領域）のある一点に種々の方向から入射するようになる各コヒーレント光の二つの入射方向によってなされる最大の角度は、前記複数のコヒーレント光の間で同一であってもよい。
【００３５】
本発明による第５の照明装置は、
第１波長域の第１コヒーレント光および前記第１波長域とは異なる第２波長域の第２コヒーレント光を回折し得るホログラム記録媒体と、
前記第１コヒーレント光および前記第２コヒーレント光が前記ホログラム記録媒体上を走査するように、波長域が異なる複数のコヒーレント光を照射する照射装置と、を備え、
前記照射装置から前記ホログラム記録媒体の各位置に入射した前記第１コヒーレント光が、それぞれ、前記ホログラム記録媒体で回折されて少なくとも一部分において互いに重なり合う領域を照明し、且つ、前記照射装置から前記ホログラム記録媒体の各位置に入射した前記第２コヒーレント光が、それぞれ、前記ホログラム記録媒体で回折されて少なくとも一部分において互いに重なり合う領域を照明するように、前記照射装置および前記ホログラム記録媒体が配置されており、
前記複数のコヒーレント光の各々は、それぞれ、前記ホログラム記録媒体上の一定の走査経路を周期的に走査し、
前記第２コヒーレントが走査する前記ホログラム記録媒体上の前記一定の走査経路の長さは、前記第１コヒーレントが走査する前記ホログラム記録媒体上の前記一定の走査経路の長さよりも長い。
このような本発明による第５の照明装置において、前記照射装置から前記ホログラム記録媒体の各位置に入射した前記第２コヒーレント光が、それぞれ、前記第１コヒーレント光によって照明される領域における互いに重なり合う部分を照明するように、前記照射装置および前記ホログラム記録媒体が配置されていてもよい。
このような本発明による第５の照明装置において、明所標準比視感度を基準として、前記第２波長域の前記第２コヒーレント光は、前記第１波長域の前記第１コヒーレント光よりも高い比視感度を有してもよい。
【００３６】
本発明による第５の照明装置において、
前記ホログラム記録媒体は、前記第１波長域および前記第２波長域とは異なる第３波長域の第３コヒーレント光を回折し得り、
前記照射装置は、前記ホログラム記録媒体上を走査するように前記第３コヒーレント光を照射し、
前記照射装置から前記ホログラム記録媒体の各位置に入射した前記第３コヒーレント光が、それぞれ、前記ホログラム記録媒体で回折されて少なくとも一部分において互いに重なり合う領域を照明するように、前記照射装置および前記ホログラム記録媒体が配置されており、
前記第３コヒーレント光は、前記ホログラム記録媒体上の一定の走査経路を周期的に走査し、
前記第２コヒーレントが走査する前記ホログラム記録媒体上の前記一定の走査経路の長さは、前記第３コヒーレントが走査する前記ホログラム記録媒体上の前記一定の走査経路の長さよりも長く、
前記第１波長域は第１の原色成分に対応し、前記第２波長域は前記第１波長域よりも長波長側で第２の原色成分に対応し、前記第３波長域は前記第２波長域よりも長波長側で第３の原色成分に対応していてもよい。
このような本発明による第５の照明装置において、前記照射装置から前記ホログラム記録媒体の各位置に入射した前記第３コヒーレント光が、それぞれ、前記第１コヒーレント光および前記第２コヒーレント光によって照明される領域における互いに重なり合う部分を照明するように、前記照射装置および前記ホログラム記録媒体が配置されていてもよい。
【００３７】
本発明による第５の照明装置において、照明される領域における互いに重なり合う部分内（被照明領域）のある一点に種々の方向から入射するようになる各コヒーレント光の二つの入射方向によってなされる最大の角度は、前記複数のコヒーレント光の間で同一であってもよい。
【００３８】
本発明による第６の照明装置は、
第１波長域の第１コヒーレント光を再生照明光として散乱板の像を再生し得り且つ前記第１波長域とは異なる第２波長域の第２コヒーレント光を再生照明光として散乱板の像を再生し得るホログラム記録媒体と、
前記第１コヒーレント光および前記第２コヒーレント光が前記ホログラム記録媒体上を走査するように、波長域が異なる複数のコヒーレント光を照射する照射装置と、を備え、
前記照射装置から前記ホログラム記録媒体の各位置に入射した前記第１コヒーレント光が、それぞれ、重ねて像を再生し、且つ、前記照射装置から前記ホログラム記録媒体の各位置に入射した前記第２コヒーレント光が、それぞれ、重ねて像を再生するように、前記照射装置および前記ホログラム記録媒体が配置されており、
前記複数のコヒーレント光の各々は、それぞれ、前記ホログラム記録媒体上の一定の走査経路を周期的に走査し、
前記第２コヒーレントが走査する前記ホログラム記録媒体上の前記一定の走査経路の長さは、前記第１コヒーレントが走査する前記ホログラム記録媒体上の前記一定の走査経路の長さよりも長い。
このような本発明による第６の照明装置において、前記照射装置から前記ホログラム記録媒体の各位置に入射した前記第２コヒーレント光が、それぞれ、前記第１コヒーレント光によって再生される像と重なる位置に、重ねて像を再生するように、前記照射装置および前記ホログラム記録媒体が配置されていてもよい。
このような本発明による第６の照明装置において、明所標準比視感度を基準として、前記第２波長域の前記第２コヒーレント光は、前記第１波長域の前記第１コヒーレント光よりも高い比視感度を有してもよい。
【００３９】
本発明による第６の照明装置において、
前記ホログラム記録媒体は、前記第１波長域および前記第２波長域とは異なる第３波長域の第３コヒーレント光を再生照明光として散乱板の像を再生し得り、
前記照射装置は、前記ホログラム記録媒体上を走査するように前記第３コヒーレント光を照射し、
前記照射装置から前記ホログラム記録媒体の各位置に入射した前記第３コヒーレント光が、それぞれ、重ねて像を再生するように、前記照射装置および前記ホログラム記録媒体が配置されており、
前記第３コヒーレント光は、前記ホログラム記録媒体上の一定の走査経路を周期的に走査し、
前記第２コヒーレント光が走査する前記ホログラム記録媒体上の前記一定の走査経路の長さは、前記第３コヒーレント光が走査する前記ホログラム記録媒体上の前記一定の走査経路の長さよりも長く、
前記第１波長域は第１の原色成分に対応し、前記第２波長域は前記第１波長域よりも長波長側で第２の原色成分に対応し、前記第３波長域は前記第２波長域よりも長波長側で第３の原色成分に対応していてもよい。
このような本発明による第６の照明装置において、前記照射装置から前記ホログラム記録媒体の各位置に入射した前記第３コヒーレント光が、それぞれ、前記第１コヒーレント光および前記第２コヒーレント光によって再生される像と重なる位置に、重ねて像を再生するように、前記照射装置および前記ホログラム記録媒体が配置されていてもよい。
【００４０】
本発明による第６の照明装置において、像が再生される位置のある一点に種々の方向から入射するようになる各コヒーレント光の二つの入射方向によってなされる最大の角度は、前記複数のコヒーレント光の間で同一であってもよい。
【００４１】
本発明による第１〜第６の照明装置のいずれかにおいて、前記ホログラム記録媒体は、各波長域のコヒーレント光にそれぞれ対応して、複数設けられていてもよい。
このような本発明による照明装置において、各波長域のコヒーレント光にそれぞれ対応して設けられた複数のホログラム記録媒体は、ある一平面上に配置されていてもよいし、あるいは、各波長域のコヒーレント光にそれぞれ対応して設けられた複数のホログラム記録媒体は、重ねて配置されていてもよい。
【００４２】
本発明による第１〜第６の照明装置のいずれかにおいて、
前記照射装置は、前記波長域が異なる複数のコヒーレント光を合成してなる合成光を生成する光源機構と、前記光源機構からの前記合成光の進行方向を変化させて、当該合成光が前記ホログラム記録媒体上を走査するようにする走査デバイスと、を含み、
前記光源機構は、各波長域のコヒーレント光をそれぞれ生成する複数の光源と、前記複数の光源からのコヒーレント光を合成する合成デバイスと、を有するようにしてもよい。
【００４３】
本発明による第１〜第６の照明装置のいずれかにおいて、前記照射装置は、前記波長域が異なる複数のコヒーレント光をそれぞれ生成する複数の光源と、各光源からのコヒーレント光にそれぞれ対応して設けられ、対応する光源からのコヒーレント光の進行方向を変化させて当該コヒーレント光が前記ホログラム記録媒体上を走査するようにする、複数の走査デバイスと、を含むようにしてもよい。
【００４４】
本発明による第１〜第６の照明装置のいずれかにおいて、
前記照射装置は、前記波長域が異なる複数のコヒーレント光をそれぞれ生成する複数の光源と、前記複数の光源からのコヒーレント光の進行方向を変化させて、当該コヒーレント光が前記ホログラム記録媒体上を走査するようにする走査デバイスと、を含み、
前記波長域が異なる複数のコヒーレント光は、互いに異なる方向から同一の走査デバイスに入射して、互いに異なる方向へ進行方向を変更させられるようにしてもよい。
【００４５】
本発明による第１〜第６の照明装置のいずれかにおいて、各光源がコヒーレント光を生成している時期は同一ではないようにしてもよい。
【００４６】
本発明による第７の照明装置は、
入射光の進行方向を変化させる光拡散素子と、
第１波長域の第１コヒーレント光および前記第１波長域とは異なる第２波長域の第２コヒーレント光が前記光拡散素子上を走査するように、波長域が異なる複数のコヒーレント光を照射する照射装置と、を備え、
前記照射装置から前記光拡散素子の各位置に入射した前記第１コヒーレント光が、それぞれ、前記光拡散素子によって進行方向を変化させられて少なくとも一部分において互いに重なり合う領域を照明し、前記照射装置から前記光拡散素子の各位置に入射した前記第２コヒーレント光が、それぞれ、前記光拡散素子によって進行方向を変化させられて少なくとも一部分において互いに重なり合う領域を照明するように、前記照射装置および前記光拡散素子が配置されており、
照明される領域における互いに重なり合う部分内のある一点に種々の方向から入射するようになる前記第２コヒーレント光の二つの入射方向によってなされる最大の角度は、照明される領域における互いに重なり合う部分内のある一点に種々の方向から入射する前記第１コヒーレント光の二つの入射方向によってなされる最大の角度よりも大きい。
このような本発明による第７の照明装置において、前記照射装置から前記光拡散素子の各位置に入射した前記第２コヒーレント光が、それぞれ、前記光拡散素子によって進行方向を変化させられて、前記第１コヒーレント光によって照明される領域における互いに重なり合う部分を照明するように、前記照射装置および前記光拡散素子が配置されていてもよい。
このような本発明による第７の照明装置において、明所標準比視感度を基準として、前記第２波長域の前記第２コヒーレント光は、前記第１波長域の前記第１コヒーレント光よりも高い比視感度を有してもよい。
【００４７】
本発明による第７の照明装置において、
前記照射装置は、前記光拡散素子上を走査するように、前記第１波長域および前記第２波長域とは異なる第３波長域の第３コヒーレント光を照射し、
前記照射装置から前記光拡散素子の各位置に入射した前記第３コヒーレント光が、それぞれ、前記光拡散素子によって進行方向を変化させられて少なくとも一部分において互いに重なり合う領域を照明するように、前記照射装置および前記光拡散素子が配置され、
照明される領域における互いに重なり合う部分内のある一点に種々の方向から入射するようになる前記第２コヒーレント光の二つの入射方向によってなされる最大の角度は、照明される領域における互いに重なり合う部分内のある一点に種々の方向から入射する前記第３コヒーレント光の二つの入射方向によってなされる最大の角度よりも大きく、
前記第１波長域は第１の原色成分に対応し、前記第２波長域は前記第１波長域よりも長波長側で第２の原色成分に対応し、前記第３波長域は前記第２波長域よりも長波長側で第３の原色成分に対応していてもよい。
このような本発明による第７の照明装置において、前記照射装置から前記光拡散素子の各位置に入射した前記第３コヒーレント光が、それぞれ、前記光拡散素子によって進行方向を変化させられて、前記第１コヒーレント光および前記第２コヒーレント光によって照明される領域における互いに重なり合う部分を照明するように、前記照射装置および前記光拡散素子が配置されていてもよい。
【００４８】
本発明による第８の照明装置は、
入射光の進行方向を変化させる光拡散素子と、
第１波長域の第１コヒーレント光および前記第１波長域とは異なる第２波長域の第２コヒーレント光が前記光拡散素子上を走査するように、波長域が異なる複数のコヒーレント光を照射する照射装置と、を備え、
前記照射装置から前記光拡散素子の各位置に入射した前記第１コヒーレント光が、それぞれ、前記光拡散素子によって進行方向を変化させられて被照明領域を照明し、前記照射装置から前記光拡散素子の各位置に入射した前記第２コヒーレント光が、それぞれ、前記光拡散素子によって進行方向を変化させられて被照明領域を照明するように、前記照射装置および前記光拡散素子が配置されており、
被照明領域のある一点に種々の方向から入射するようになる前記第２コヒーレント光の二つの入射方向によってなされる最大の角度は、被照明領域のある一点に種々の方向から入射する前記第１コヒーレント光の二つの入射方向によってなされる最大の角度よりも大きい。
このような本発明による第８の照明装置において、前記照射装置から前記光拡散素子の各位置に入射した前記第２コヒーレント光が、それぞれ、前記光拡散素子によって進行方向を変化させられて、前記第１コヒーレント光によって照明される被照明領域と同一の被照明領域を照明するように、前記照射装置および前記光拡散素子が配置されていてもよい。
このような本発明による第８の照明装置において、明所標準比視感度を基準として、前記第２波長域の前記第２コヒーレント光は、前記第１波長域の前記第１コヒーレント光よりも高い比視感度を有してもよい。
【００４９】
本発明による第８の照明装置において、
前記照射装置は、前記光拡散素子上を走査するように、前記第１波長域および前記第２波長域とは異なる第３波長域の第３コヒーレント光を照射し、
前記照射装置から前記光拡散素子の各位置に入射した前記第３コヒーレント光が、それぞれ、前記光拡散素子によって進行方向を変化させられて被照明領域を照明するように、前記照射装置および前記光拡散素子が配置され、
被照明領域のある一点に種々の方向から入射するようになる前記第２コヒーレント光の二つの入射方向によってなされる最大の角度は、被照明領域のある一点に種々の方向から入射する前記第３コヒーレント光の二つの入射方向によってなされる最大の角度よりも大きく、
前記第１波長域は第１の原色成分に対応し、前記第２波長域は前記第１波長域よりも長波長側で第２の原色成分に対応し、前記第３波長域は前記第２波長域よりも長波長側で第３の原色成分に対応していてもよい。
このような本発明による第８の照明装置において、前記照射装置から前記光拡散素子の各位置に入射した前記第３コヒーレント光が、それぞれ、前記光拡散素子によって進行方向を変化させられて、前記第１コヒーレント光および前記第２コヒーレント光によって照明される被照明領域と同一の被照明領域を照明するように、前記照射装置および前記光拡散素子が配置されていてもよい。
【００５０】
本発明による第９の照明装置は、
入射光の進行方向を変化させる光拡散素子と、
第１波長域の第１コヒーレント光および前記第１波長域とは異なる第２波長域の第２コヒーレント光が前記光拡散素子上を走査するように、波長域が異なる複数のコヒーレント光を照射する照射装置と、を備え、
前記照射装置から前記光拡散素子の各位置に入射した前記第１コヒーレント光が、それぞれ、前記光拡散素子によって進行方向を変化させられて少なくとも一部分において互いに重なり合う領域を照明し、前記照射装置から前記光拡散素子の各位置に入射した前記第２コヒーレント光が、それぞれ、前記光拡散素子によって進行方向を変化させられて少なくとも一部分において互いに重なり合う領域を照明するように、前記照射装置および前記光拡散素子が配置されており、
前記第２コヒーレント光が前記光拡散素子上を走査する速度が、前記第１のコヒーレント光が前記光拡散素子上を走査する速度よりも速い。
このような本発明による第９の照明装置において、前記照射装置から前記光拡散素子の各位置に入射した前記第２コヒーレント光が、それぞれ、前記光拡散素子によって進行方向を変化させられて、前記第１コヒーレント光によって照明される領域における互いに重なり合う部分を照明するように、前記照射装置および前記光拡散素子が配置されていてもよい。
このような本発明による第９の照明装置において、明所標準比視感度を基準として、前記第２波長域の前記第２コヒーレント光は、前記第１波長域の前記第１コヒーレント光よりも高い比視感度を有してもよい。
【００５１】
本発明による第９の照明装置において、
前記照射装置は、前記光拡散素子上を走査するように、前記第１波長域および前記第２波長域とは異なる第３波長域の第３コヒーレント光を照射し、
前記照射装置から前記光拡散素子の各位置に入射した前記第３コヒーレント光が、それぞれ、前記光拡散素子によって進行方向を変化させられて少なくとも一部分において互いに重なり合う領域を照明するように、前記照射装置および前記光拡散素子が配置され、
前記第２コヒーレント光が前記光拡散素子上を走査する速度が、前記第３コヒーレント光が前記光拡散素子上を走査する速度よりも速く、
前記第１波長域は第１の原色成分に対応し、前記第２波長域は前記第１波長域よりも長波長側で第２の原色成分に対応し、前記第３波長域は前記第２波長域よりも長波長側で第３の原色成分に対応していてもよい。
このような本発明による第９の照明装置において、前記照射装置から前記光拡散素子の各位置に入射した前記第３コヒーレント光が、それぞれ、前記光拡散素子によって進行方向を変化させられて、前記第１コヒーレント光および前記第２コヒーレント光によって照明される領域における互いに重なり合う部分を照明するように、前記照射装置および前記光拡散素子が配置されていてもよい。
【００５２】
このような本発明による第９の照明装置において、照明される領域における互いに重なり合う部分内のある一点に種々の方向から入射するようになる各コヒーレント光の二つの入射方向によってなされる最大の角度は、前記複数のコヒーレント光の間で同一であってよい。
【００５３】
本発明による第１０の照明装置は、
入射光の進行方向を変化させる光拡散素子と、
第１波長域の第１コヒーレント光および前記第１波長域とは異なる第２波長域の第２コヒーレント光が前記光拡散素子上を走査するように、波長域が異なる複数のコヒーレント光を照射する照射装置と、を備え、
前記照射装置から前記光拡散素子の各位置に入射した前記第１コヒーレント光が、それぞれ、前記光拡散素子によって進行方向を変化させられて被照明領域を照明し、前記照射装置から前記光拡散素子の各位置に入射した前記第２コヒーレント光が、それぞれ、前記光拡散素子によって進行方向を変化させられて被照明領域を照明するように、前記照射装置および前記光拡散素子が配置されており、
前記第２コヒーレント光が前記光拡散素子上を走査する速度が、前記第１のコヒーレント光が前記光拡散素子上を走査する速度よりも速い。
このような本発明による第１０の照明装置において、前記照射装置から前記光拡散素子の各位置に入射した前記第２コヒーレント光が、それぞれ、前記光拡散素子によって進行方向を変化させられて、前記第１コヒーレント光によって照明される被照明領域と同一の被照明領域を照明するように、前記照射装置および前記光拡散素子が配置されていてもよい。
このような本発明による第１０の照明装置において、明所標準比視感度を基準として、前記第２波長域の前記第２コヒーレント光は、前記第１波長域の前記第１コヒーレント光よりも高い比視感度を有してもよい。
【００５４】
本発明による第１０の照明装置において、
前記照射装置は、前記光拡散素子上を走査するように、前記第１波長域および前記第２波長域とは異なる第３波長域の第３コヒーレント光を照射し、
前記照射装置から前記光拡散素子の各位置に入射した前記第３コヒーレント光が、それぞれ、前記光拡散素子によって進行方向を変化させられて被照明領域を照明するように、前記照射装置および前記光拡散素子が配置され、
前記第２コヒーレント光が前記光拡散素子上を走査する速度が、前記第３コヒーレント光が前記光拡散素子上を走査する速度よりも速く、
前記第１波長域は第１の原色成分に対応し、前記第２波長域は前記第１波長域よりも長波長側で第２の原色成分に対応し、前記第３波長域は前記第２波長域よりも長波長側で第３の原色成分に対応していてもよい。
このような本発明による第１０の照明装置において、前記照射装置から前記光拡散素子の各位置に入射した前記第３コヒーレント光が、それぞれ、前記光拡散素子によって進行方向を変化させられて、前記第１コヒーレント光および前記第２コヒーレント光によって照明される被照明領域と同一の被照明領域を照明するように、前記照射装置および前記光拡散素子が配置されていてもよい。
【００５５】
このような本発明による第１０の照明装置において、被照明領域のある一点に種々の方向から入射するようになる各コヒーレント光の二つの入射方向によってなされる最大の角度は、前記複数のコヒーレント光の間で同一であってよい。
【００５６】
本発明による第１１の照明装置は、
入射光の進行方向を変化させる光拡散素子と、
第１波長域の第１コヒーレント光および前記第１波長域とは異なる第２波長域の第２コヒーレント光が前記光拡散素子上を走査するように、波長域が異なる複数のコヒーレント光を照射する照射装置と、を備え、
前記照射装置から前記光拡散素子の各位置に入射した前記第１コヒーレント光が、それぞれ、前記光拡散素子によって進行方向を変化させられて少なくとも一部分において互いに重なり合う領域を照明し、前記照射装置から前記光拡散素子の各位置に入射した前記第２コヒーレント光が、それぞれ、前記光拡散素子によって進行方向を変化させられて少なくとも一部分において互いに重なり合う領域を照明するように、前記照射装置および前記光拡散素子が配置されており、
前記複数のコヒーレント光の各々は、それぞれ、前記光拡散素子上の一定の走査経路を周期的に走査し、
前記第２コヒーレント光が走査する前記光拡散素子上の前記一定の走査経路の長さは、前記第１コヒーレント光が走査する前記光拡散素子上の前記一定の走査経路の長さよりも長い。
このような本発明による第１１の照明装置において、前記照射装置から前記光拡散素子の各位置に入射した前記第２コヒーレント光が、それぞれ、前記光拡散素子によって進行方向を変化させられて、前記第１コヒーレント光によって照明される領域における互いに重なり合う部分を照明するように、前記照射装置および前記光拡散素子が配置されていてもよい。
このような本発明による第１１の照明装置において、明所標準比視感度を基準として、前記第２波長域の前記第２コヒーレント光は、前記第１波長域の前記第１コヒーレント光よりも高い比視感度を有してもよい。
【００５７】
本発明による第１１の照明装置において、
前記照射装置は、前記光拡散素子上を走査するように、前記第１波長域および前記第２波長域とは異なる第３波長域の第３コヒーレント光を照射し、
前記照射装置から前記光拡散素子の各位置に入射した前記第３コヒーレント光が、それぞれ、前記光拡散素子によって進行方向を変化させられて少なくとも一部分において互いに重なり合う領域を照明するように、前記照射装置および前記光拡散素子が配置され、
前記第３コヒーレント光は、前記光拡散素子上の一定の走査経路を周期的に走査し、
前記第２コヒーレント光が走査する前記光拡散素子上の前記一定の走査経路の長さは、前記第３コヒーレント光が走査する前記光拡散素子上の前記一定の走査経路の長さよりも長く、
前記第１波長域は第１の原色成分に対応し、前記第２波長域は前記第１波長域よりも長波長側で第２の原色成分に対応し、前記第３波長域は前記第２波長域よりも長波長側で第３の原色成分に対応していてもよい。
このような本発明による第１１の照明装置において、前記照射装置から前記光拡散素子の各位置に入射した前記第３コヒーレント光が、それぞれ、前記光拡散素子によって進行方向を変化させられて、前記第１コヒーレント光および前記第２コヒーレント光によって照明される領域における互いに重なり合う部分を照明するように、前記照射装置および前記光拡散素子が配置されていてもよい。
【００５８】
このような本発明による第１１の照明装置において、照明される領域における互いに重なり合う部分内のある一点に種々の方向から入射するようになる各コヒーレント光の二つの入射方向によってなされる最大の角度は、前記複数のコヒーレント光の間で同一であってよい。
【００５９】
本発明による第１２の照明装置は、
入射光の進行方向を変化させる光拡散素子と、
第１波長域の第１コヒーレント光および前記第１波長域とは異なる第２波長域の第２コヒーレント光が前記光拡散素子上を走査するように、波長域が異なる複数のコヒーレント光を照射する照射装置と、を備え、
前記照射装置から前記光拡散素子の各位置に入射した前記第１コヒーレント光が、それぞれ、前記光拡散素子によって進行方向を変化させられて被照明領域を照明し、前記照射装置から前記光拡散素子の各位置に入射した前記第２コヒーレント光が、それぞれ、前記光拡散素子によって進行方向を変化させられて被照明領域を照明するように、前記照射装置および前記光拡散素子が配置されており、
前記複数のコヒーレント光の各々は、それぞれ、前記光拡散素子上の一定の走査経路を周期的に走査し、
前記第２コヒーレント光が走査する前記光拡散素子上の前記一定の走査経路の長さは、前記第１コヒーレント光が走査する前記光拡散素子上の前記一定の走査経路の長さよりも長い。
このような本発明による第１２の照明装置において、前記照射装置から前記光拡散素子の各位置に入射した前記第２コヒーレント光が、それぞれ、前記光拡散素子によって進行方向を変化させられて、前記第１コヒーレント光によって照明される被照明領域と同一の被照明領域を照明するように、前記照射装置および前記光拡散素子が配置されていてもよい。
このような本発明による第１２の照明装置において、明所標準比視感度を基準として、前記第２波長域の前記第２コヒーレント光は、前記第１波長域の前記第１コヒーレント光よりも高い比視感度を有してもよい。
【００６０】
本発明による第１２の照明装置において、
前記照射装置は、前記光拡散素子上を走査するように、前記第１波長域および前記第２波長域とは異なる第３波長域の第３コヒーレント光を照射し、
前記照射装置から前記光拡散素子の各位置に入射した前記第３コヒーレント光が、それぞれ、前記光拡散素子によって進行方向を変化させられて被照明領域を照明するように、前記照射装置および前記光拡散素子が配置され、
前記第３コヒーレント光は、前記光拡散素子上の一定の走査経路を周期的に走査し、
前記第２コヒーレント光が走査する前記光拡散素子上の前記一定の走査経路の長さは、前記第３コヒーレント光が走査する前記光拡散素子上の前記一定の走査経路の長さよりも長く、
前記第１波長域は第１の原色成分に対応し、前記第２波長域は前記第１波長域よりも長波長側で第２の原色成分に対応し、前記第３波長域は前記第２波長域よりも長波長側で第３の原色成分に対応していてもよい。
このような本発明による第１２の照明装置において、前記照射装置から前記光拡散素子の各位置に入射した前記第３コヒーレント光が、それぞれ、前記光拡散素子によって進行方向を変化させられて、前記第１コヒーレント光および前記第２コヒーレント光によって照明される被照明領域と同一の被照明領域を照明するように、前記照射装置および前記光拡散素子が配置されていてもよい。
【００６１】
このような本発明による第１２の照明装置において、被照明領域のある一点に種々の方向から入射するようになる各コヒーレント光の二つの入射方向によってなされる最大の角度は、前記複数のコヒーレント光の間で同一であってよい。
【００６２】
本発明による第７〜第１２の照明装置にいずれかにおいて、前記光拡散素子は、各波長域のコヒーレント光にそれぞれ対応して、複数設けられていてもよい。
このような本発明による第７〜第１２の照明装置にいずれかにおいて、各波長域のコヒーレント光にそれぞれ対応して設けられた複数の光拡散素子は、ある一平面上に配置されていてもよい。
【００６３】
本発明による第７〜第１２の照明装置にいずれかにおいて、前記照射装置は、前記波長域が異なる複数のコヒーレント光を合成してなる合成光を生成する光源機構と、前記光源機構からの前記合成光の進行方向を変化させて、当該合成光が前記光拡散素子上を走査するようにする走査デバイスと、を含み、前記光源機構は、各波長域のコヒーレント光をそれぞれ生成する複数の光源と、前記複数の光源からのコヒーレント光を合成する合成デバイスと、を有するようにしてもよい。
【００６４】
本発明による第７〜第１２の照明装置にいずれかにおいて、前記照射装置は、前記波長域が異なる複数のコヒーレント光をそれぞれ生成する複数の光源と、各光源からのコヒーレント光にそれぞれ対応して設けられ、対応する光源からのコヒーレント光の進行方向を変化させて当該コヒーレント光が前記ホログラム記録媒体上を走査するようにする、複数の走査デバイスと、を含むようにしてもよい。
【００６５】
本発明による第７〜第１２の照明装置にいずれかにおいて、前記照射装置は、前記波長域が異なる複数のコヒーレント光をそれぞれ生成する複数の光源と、前記複数の光源からのコヒーレント光の進行方向を変化させて、当該コヒーレント光が前記光拡散素子上を走査するようにする走査デバイスと、を含み、前記波長域が異なる複数のコヒーレント光は、互いに異なる方向から同一の走査デバイスに入射して、互いに異なる方向へ進行方向を変更させられるようにしてもよい。
【００６６】
本発明による第７〜第１２の照明装置にいずれかにおいて、各光源がコヒーレント光を生成している時期は同一ではないようにしてもよい。
【００６７】
本発明による第７〜第１２の照明装置のいずれかにおいて、前記光拡散素子はレンズアレイであってもよい。
【００６８】
本発明による第１の投射装置は、
上述した本発明による第１、第３および第５のいずれか一項に記載の照明装置と、
前記照射装置から前記ホログラム記録媒体の各位置に入射して回折された前記コヒーレント光によって照明される位置に配置された空間光変調器と、を備える。
【００６９】
本発明による第２の投射装置は、
上述した本発明による第７、第９および第１１のいずれか一項に記載の照明装置と、
前記照射装置から前記光拡散素子の各位置に入射して進行方向を変化させられた前記コヒーレント光によって照明される位置に配置された空間光変調器と、を備える。
【００７０】
本発明による第３の投射装置は、
上述した本発明による第２、第４および第６の照明装置のいずれかと、
前記照射装置から前記ホログラム記録媒体の各位置に入射した前記コヒーレント光によって再生される像と重なる位置に配置された空間光変調器と、を備える。
【００７１】
本発明による第４の投射装置は、
上述した本発明による第８、第１０および第１２の照明装置のいずれかと、
被照明領域と重なる位置に配置され、前記照明装置によって照明される空間光変調器と、を備える。
【００７２】
本発明による第１〜第４の投射装置のいずれかが、前記空間光変調器上に得られる変調画像をスクリーン上に投射する投射光学系を、さらに備えるようにしてもよい。
【００７３】
本発明による第１の投射装置において、
前記ホログラム記録媒体で回折されたコヒーレント光によって照明される領域における互いに重なり合う部分は、前記複数のコヒーレント光の間で、互いに異なる位置に位置し、
前記空間光変調器は、前記複数のコヒーレント光のそれぞれに対応して複数設けられ、
各空間光変調器は、対応するコヒーレント光によって照明される領域における互いに重なり合う部分と重なるようにして配置され、
各空間光変調器上に得られる変調画像を合成して投射する合成投射光学系がさらに設けられていてもよい。
【００７４】
本発明による第２の投射装置において、
前記光拡散素子で進行方向を変化させられたコヒーレント光によって照明される領域における互いに重なり合う部分は、前記複数のコヒーレント光の間で、互いに異なる位置に位置し、
前記空間光変調器は、前記複数のコヒーレント光のそれぞれに対応して複数設けられ、
各空間光変調器は、対応するコヒーレント光によって照明される領域における互いに重なり合う部分と重なるようにして配置され、
各空間光変調器上に得られる変調画像を合成して投射する合成投射光学系がさらに設けられていてもよい。
【００７５】
本発明による第３の投射装置において、
前記複数のコヒーレント光は互いに異なる位置に像を再生し、
前記空間光変調器は、各コヒーレント光によって再生される像と重なる位置にそれぞれ対応して、複数設けられおり、
各空間光変調器上に得られる変調画像を合成して投射する合成投射光学系がさらに設けられていてもよい。
【００７６】
本発明による第４の投射装置において、
前記複数のコヒーレント光は互いに異なる位置にある被照明領域を照明し、
前記空間光変調器は、各コヒーレント光によって照明される被照明領域と重なる位置にそれぞれ対応して、複数設けられおり、
各空間光変調器上に得られる変調画像を合成して投射する合成投射光学系がさらに設けられていてもよい。
【００７７】
本発明による第１の投射型映像表示装置は、
上述した本発明による第１〜第４の投射装置のいずれかと、
前記空間光変調器上に得られる変調画像を投影されるスクリーンと、を備える。
【００７８】
本発明による第２の投射型映像表示装置は、
上述した本発明による第１、第３および第５のいずれか一項に記載の照明装置と、
前記照射装置から前記ホログラム記録媒体の各位置に入射して回折された前記コヒーレント光によって照明されるスクリーンと、を備え、
前記ホログラム記録媒体で回折されたコヒーレント光によって照明される領域における互いに重なり合う部分は、前記複数のコヒーレント光の間で、互いに重なり合っており、
前記スクリーンは、前記複数のコヒーレント光によって照明される領域における互いに重なり合う部分と重なるようにして配置されている。
【００７９】
本発明による第３の投射型映像表示装置は、
上述した本発明による第７、第９および第１１のいずれか一項に記載の照明装置と、
前記照射装置から前記光拡散素子の各位置に入射して進行方向を変化させられた前記コヒーレント光によって照明されるスクリーンと、を備え、
前記光拡散素子で進行方向を変化させられたコヒーレント光によって照明される領域における互いに重なり合う部分は、前記複数のコヒーレント光の間で、互いに重なり合っており、
前記スクリーンは、前記複数のコヒーレント光によって照明される領域における互いに重なり合う部分と重なるようにして配置されている。
【００８０】
本発明による第４の投射型映像表示装置は、
上述した本発明による第２、第４および第６の照明装置のいずれかであって、前記複数のコヒーレント光が互いに重なる位置に像を再生する照明装置と、
前記照射装置から前記ホログラム記録媒体の各位置に入射した前記コヒーレント光によって再生される像と重なる位置に配置されたスクリーンと、を備える。
【００８１】
本発明による第５の投射型映像表示装置は、
上述した本発明による第８、第１０および第１２の照明装置のいずれかであって、前記複数のコヒーレント光が互いに同一の位置にある被照明領域を照明する照明装置と、
前記被照明領域と重なる位置に配置されたスクリーンと、を備える。
【発明の効果】
【００８２】
本発明によれば、被照明領域または映像を投射する面上でのスペックルを効果的に目立たなくさせることができる。
【図面の簡単な説明】
【００８３】
【図１】図１は、本発明による一実施の形態のうちの基本形態を説明するための図であって、基本形態の一具体例としての照明装置、投射装置および投射型映像表示装置の概略構成を示す図である。
【図２】図２は、図１に示された照明装置を示す図である。
【図３】図３は、図２の照明装置の光学素子をなすホログラム記録媒体を作製するための露光方法を説明するための図である。
【図４】図４は、図３の露光方法を経て作製されたホログラム記録媒体の作用を説明するための図である。
【図５】図５は、図１に示された照明装置の作用を説明するための斜視図である。
【図６】図６は、光学素子の一変形例を説明するための図であって、光学素子を対応する被照明領域とともに示す平面図である。
【図７】図７は、光学素子の他の変形例を説明するための図であって、光学素子を対応する被照明領域とともに示す平面図である。
【図８】図８は、図５に対応する図であって、照明装置の一変形例およびその作用を説明するための斜視図である。
【図９】図９は、図２に対応する図であって、照明装置の他の変形例およびその作用を説明するための斜視図である。
【図１０】図１０は、本発明による一実施の形態のうちの基本形態を応用した応用形態を説明するための図であって、応用形態の一具体例としての照明装置、投射装置および投射型映像表示装置の概略構成を示す図である。
【図１１】図１１は、図１０の光学素子を示す平面図である。
【図１２】図１２は、CIE(Commission internationale de l'eclairage：国際照明委員会)で規定された明所標準比視感度を示すグラフである。
【図１３】図１３は、応用形態の他の例としての照明装置、投射装置および投射型映像表示装置の概略構成を示す図である。
【図１４】図１４は、応用形態のさらに他の例としての照明装置、投射装置および投射型映像表示装置の概略構成を示す図である。
【図１５】図１５は、応用形態に適用され得る照射装置を示す斜視図である。
【図１６】図１６は、応用形態のさらに他の例としての照明装置、投射装置および投射型映像表示装置の概略構成を示す図である。
【図１７】図１７は、応用形態のさらに他の例としての照明装置、投射装置および投射型映像表示装置の概略構成を示す図である。
【発明を実施するための形態】
【００８４】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００８５】
本発明の一実施の形態に係る照明装置、投射装置および投射型映像表示装置は、基本的な構成として、スペックルを効果的に防止することを可能にする構成を有している。さらに、本発明の一実施の形態に係る照明装置、投射装置および投射型映像表示装置は、スペックルを効果的に防止し得る基本的構成を応用した構成であって、更に、波長域が互いに異なる複数のコヒーレント光の取り扱いを可能にした構成も含んでいる。
【００８６】
以下の説明では、まず、図１〜図９に例示した照明装置および投射装置を含む投射型映像表示装置を参照して、スペックルを目立たなくさせるための構成、当該構成に基づいて奏され得る作用効果、および、当該構成の変形態様を、基本形態として説明する。次に、基本形態を応用した構成であって、波長域が互いに異なる複数のコヒーレント光の取り扱いを可能にした構成、当該構成に基づいて奏され得る作用効果、および、当該構成の変形態様を、応用形態として説明する。
【００８７】
＜基本形態＞
〔基本形態の構成〕
まず、コヒーレント光を投射する照明装置および投射装置を含み且つスペックルを目立たなくさせることができる投射型映像表示装置の構成を、主として図１〜図９を参照して説明する。
【００８８】
図１に示す投射型映像表示装置１０は、スクリーン１５と、コヒーレント光からなる映像光を投射する投射装置２０と、を有している。投射装置２０は、仮想面上に位置する被照明領域ＬＺをコヒーレント光で照明する照明装置４０と、被照明領域ＬＺと重なる位置に配置され照明装置４０によってコヒーレント光で照明される空間光変調器３０と、空間光変調器３０からのコヒーレント光をスクリーン１５に投射する投射光学系２５と、を有している。
【００８９】
空間光変調器３０としては、例えば、透過型の液晶マイクロディスプレイを用いることができる。この場合、照明装置４０によって面状に照明される空間光変調器３０が、画素毎にコヒーレント光を選択して透過させることにより、空間光変調器３０をなすディスプレイの画面上に変調画像が形成されるようになる。こうして得られた変調画像（映像光）は、投射光学系２５によって、等倍で或いは変倍されてスクリーン１５へ投射される。これにより、変調画像がスクリーン１５上に等倍で或いは変倍（通常、拡大）されて表示され、観察者は当該画像を観察することができる。
【００９０】
なお、空間光変調器３０としては、反射型のマイクロディスプレイを用いることも可能である。この場合、空間光変調器３０での反射光によって変調画像が形成され、空間光変調器３０へ照明装置４０からコヒーレント光が照射される面と、空間光変調器３０から変調画像をなす映像光が進みでる面が同一の面となる。このような反射光を利用する場合、空間光変調器３０としてＤＭＤ（Digital Micromirror Device）などのＭＥＭＳ素子を用いることも可能である。上述した特許文献２に開示された装置では、ＤＭＤが空間光変調器として利用されている。
【００９１】
また、空間光変調器３０の入射面は、照明装置４０によってコヒーレント光を照射される被照明領域ＬＺと同一の形状および大きさであることが好ましい。この場合、照明装置４０からのコヒーレント光を、スクリーン１５への映像の表示に高い利用効率で利用することができるからである。
【００９２】
スクリーン１５は、透過型スクリーンとして構成されていてもよいし、反射型スクリーンとして構成されていてもよい。スクリーン１５が反射型スクリーンとして構成されている場合には、観察者は、スクリーン１５に関して投射装置２０と同じ側から、スクリーン１５で反射されるコヒーレント光によって表示される映像を観察することになる。一方、スクリーン１５が透過型スクリーンとして構成されている場合、観察者は、スクリーン１５に関して投射装置２０とは反対の側から、スクリーン１５を透過したコヒーレント光によって表示される映像を観察することになる。
【００９３】
ところで、スクリーン１５に投射されたコヒーレント光は、拡散され、観察者に映像として認識されるようになる。この際、スクリーン上に投射されたコヒーレント光は拡散によって干渉し、スペックルを生じさせることになる。ただし、ここで説明する投射型映像表示装置１０では、以下に説明する照明装置４０が、時間的に角度変化するコヒーレント光で、空間光変調器３０が重ねられている被照明領域ＬＺを照明するようになっている。より具体的には、以下に説明する照明装置４０は、コヒーレント光からなる拡散光で被照明領域ＬＺを照明するが、この拡散光の入射角度が経時的に変化していく。この結果、スクリーン１５上でのコヒーレント光の拡散パターンも時間的に変化するようになり、コヒーレント光の拡散で生じるスペックルが時間的に重畳されて目立たなくなる。以下、このような照明装置４０について、さらに詳細に説明する。
【００９４】
図１および図２に示された照明装置４０は、コヒーレント光の進行方向を被照明領域ＬＺへ向ける光学素子５０と、光学素子５０へコヒーレント光を照射する照射装置６０と、を有している。光学素子５０は、光拡散素子（光拡散要素）として機能するホログラム記録媒体、とりわけ、散乱板６の像５を再生し得るホログラム記録媒体５５を含んでいる。図示する例では、光学素子５０はホログラム記録媒体５５から形成されている。
【００９５】
図示する例で光学素子５０をなしているホログラム記録媒体５５は、照射装置６０から照射されるコヒーレント光を再生照明光Ｌａとして受けて、当該コヒーレント光を高効率で回折することができる。とりわけ、ホログラム記録媒体５５は、その各位置、言い換えると、その各点とも呼ばれるべき各微小領域に入射するコヒーレント光を回折することによって、散乱板６の像５を再生することができるようになっている。
【００９６】
一方、照射装置６０は、ホログラム記録媒体５５のコヒーレント光が、光学素子５０のホログラム記録媒体５５上を走査するようにして、光学素子５０へコヒーレント光を照射する。したがって、ある瞬間に、照射装置６０によってコヒーレント光を照射されているホログラム記録媒体５５上の領域は、ホログラム記録媒体５５の表面の一部分であって、とりわけ図示する例では、点と呼ばれるべき微小領域となっている。
【００９７】
そして、照射装置６０から照射されてホログラム記録媒体５５上を走査するコヒーレント光は、ホログラム記録媒体５５上の各位置（各点または各領域（以下、同じ））に、当該ホログラム記録媒体５５の回折条件を満たすような入射角度で、入射するようになっている。照射装置６０からホログラム記録媒体５５の各位置に入射したコヒーレント光は、それぞれ、ホログラム記録媒体５５で回折されて少なくとも一部分において互いに重なり合う領域を照明する。とりわけここで説明する形態では、照射装置６０からホログラム記録媒体５５の各位置に入射したコヒーレント光は、それぞれ、ホログラム記録媒体５５で回折されて同一の被照明領域ＬＺを照明するようになっている。より詳細には、図２に示すように、照射装置６０からホログラム記録媒体５５の各位置に入射したコヒーレント光が、それぞれ、被照明領域ＬＺに重ねて散乱板６の像５を再生するようになっている。すなわち、照射装置６０からホログラム記録媒体５５の各位置に入射したコヒーレント光は、それぞれ、光学素子５０で拡散されて（拡げられて）、被照明領域ＬＺに入射するようになる。
【００９８】
このようなコヒーレント光の回折作用を可能にするホログラム記録媒体５５として、図示する例では、フォトポリマーを用いた反射型の体積型ホログラムが用いられている。このホログラム記録媒体５５は、図３に示すように、実物の散乱板６からの散乱光を物体光Ｌｏとして用いて作製されている。図３には、ホログラム記録媒体５５をなすようになる感光性を有したホログラム感光材料５８に、互いに干渉性を有したコヒーレント光からなる参照光Ｌｒと物体光Ｌｏとが露光されている状態が、示されている。
【００９９】
参照光Ｌｒは、例えば、特定波長域のレーザ光を発振するレーザ光源からのレーザ光が用いられており、レンズからなる集光素子７を透過してホログラム感光材料５８に入射する。図３に示す例では、参照光Ｌｒをなすようになるレーザ光が、集光素子７の光軸と平行な平行光束として、集光素子７へ入射する。参照光Ｌｒは、集光素子７を透過することによって、それまでの平行光束から収束光束に整形（変換）され、ホログラム感光材料５８へ入射する。この際、収束光束Ｌｒの焦点位置ＦＰは、ホログラム感光材料５８を越えた位置にある。すなわち、ホログラム感光材料５８は、集光素子７と、集光素子７によって集光された収束光束Ｌｒの焦点位置ＦＰと、の間に配置されている。
【０１００】
次に、物体光Ｌｏは、たとえばオパールガラスからなる散乱板６からの散乱光として、ホログラム感光材料５８に入射する。ここでは作製されるべきホログラム記録媒体５５が反射型なので、物体光Ｌｏは、参照光Ｌｒとは反対側の面からホログラム感光材料５８へ入射する。物体光Ｌｏは、参照光Ｌｒと干渉性を有している必要がある。したがって、例えば、同一のレーザ光源から発振されたレーザ光を分割して、分割された一方を上述の参照光Ｌｒとして利用し、他方を物体光Ｌｏとして使用することができる。
【０１０１】
図３に示す例では、散乱板６の板面への法線方向と平行な平行光束が、散乱板６へ入射して散乱され、そして、散乱板６を透過した散乱光が物体光Ｌｏとしてホログラム感光材料５８へ入射している。この方法によれば、通常安価に入手可能な等方散乱板を散乱板６として用いた場合に、散乱板６からの物体光Ｌｏが、ホログラム感光材料５８に概ね均一な光量分布で入射することが可能となる。またこの方法によれば、散乱板６による散乱の度合いにも依存するが、ホログラム感光材料５８の各位置に、散乱板６の出射面６ａの全域から概ね均一な光量で参照光Ｌｒが入射しやすくなる。このような場合には、得られたホログラム記録媒体５５の各位置に入射した光が、それぞれ、散乱板６の像５を同様の明るさで再生すること、および、再生された散乱板６の像５が概ね均一な明るさで観察されることが実現され得る。
【０１０２】
以上のようにして、参照光Ｌｒおよび物体光Ｌｏがホログラム記録材料５８に露光されると、参照光Ｌｒおよび物体光Ｌｏが干渉してなる干渉縞が生成され、この光の干渉縞が、何らかのパターン（体積型ホログラムでは、一例として、屈折率変調パターン）として、ホログラム記録材料５８に記録される。その後、ホログラム記録材料５８の種類に対応した適切な後処理が施され、ホログラム記録媒体５５が得られる。
【０１０３】
図４には、図３の露光工程を経て得られたホログラム記録媒体５５の回折作用（再生作用）が示されている。図４に示すように、図３のホログラム感光材料５８から形成されたホログラム記録媒体５５は、露光工程で用いられたレーザ光と同一波長の光であって、露光工程における参照光Ｌｒの光路を逆向きに進む光によって、そのブラッグ条件が満たされるようになる。すなわち、図４に示すように、露光工程時におけるホログラム感光材料５８に対する焦点ＦＰの相対位置（図３参照）と同一の位置関係をなすようにしてホログラム記録媒体５５に対して位置する基準点ＳＰから発散し、露光工程時における参照光Ｌｒと同一の波長を有する発散光束は、再生照明光Ｌａとして、ホログラム記録媒体５５に回折され、露光工程時におけるホログラム感光材料５８に対する散乱板６の相対位置（図３参照）と同一の位置関係をなすようになるホログラム記録媒体５０に対する特定の位置に、散乱板６の再生像５を生成する。
【０１０４】
この際、散乱板６の再生像５を生成する再生光（再生照明光Ｌａをホログラム記録媒体５５で回折してなる光）Ｌｂは、露光工程時に散乱板６からホログラム感光材料５８へ向かって進んでいた物体光Ｌｏの光路を逆向きに進む光として散乱板６の像５の各点を再生する。そして、上述したように、また図３に示すように、露光工程時に散乱板６の出射面６ａの各位置から出射する散乱光Ｌｏが、それぞれ、ホログラム感光材料５８の概ね全領域に入射するように拡散している（広がっている）。すなわち、ホログラム感光材料５８上の各位置には、散乱板６の出射面６ａの全領域からの物体光Ｌｏが入射し、結果として、出射面６ａ全体の情報がホログラム記録媒体５５の各位置にそれぞれ記録されている。このため、図４に示された、再生照明光Ｌａとして機能する基準点ＳＰからの発散光束をなす各光は、それぞれ単独で、ホログラム記録媒体５５の各位置に入射して互いに同一の輪郭を有した散乱板６の像５を、互いに同一の位置（被照明領域ＬＺ）に再生することができる。
【０１０５】
一方、このようなホログラム記録媒体５５からなる光学素子５０にコヒーレント光を照射する照射装置６０は、次のように構成され得る。図１および図２に示された例において、照射装置６０は、特定波長域のコヒーレント光を生成するレーザ光源６１ａと、レーザ光源６１ａからのコヒーレント光の進行方向を変化させる走査デバイス６５と、を有している。走査デバイス６５は、コヒーレント光の進行方向を経時的に変化させ、コヒーレント光の進行方向が一定とはならないよう種々の方向へ向ける。この結果、走査デバイス６５で進行方向を変化させられるコヒーレント光が、光学素子５０のホログラム記録媒体５５の入射面上を走査するようになる。
【０１０６】
とりわけ、図２に示された例では、走査デバイス６５は、一つの軸線ＲＡ１を中心として回動可能な反射面６６ａを有した反射デバイス６６を含んでいる。より具体的に説明すると、反射デバイス６６は、一つの軸線ＲＡ１を中心として回動可能な反射面６６ａとしてのミラーを有したミラーデバイスとして、構成されている。そして、図２および図５に示すように、このミラーデバイス６６は、ミラー６６ａの配向を変化させることによって、レーザ光源６１ａからのコヒーレント光の進行方向を変化させるようになっている。この際、図２に示すように、ミラーデバイス６６は、概ね、基準点ＳＰにおいてレーザ光源６１ａからコヒーレント光を受けるようになっている。このため、ミラーデバイス６６で進行方向を最終調整されたコヒーレント光は、基準点ＳＰからの発散光束の一光線をなし得る再生照明光Ｌａ（図４参照）として、光学素子５０のホログラム記録媒体５５へ入射し得る。結果として、照射装置６０からのコヒーレント光がホログラム記録媒体５５上を走査するようになり、且つ、ホログラム記録媒体５５上の各位置に入射したコヒーレント光が同一の輪郭を有した散乱板６の像５を同一の位置（被照明領域ＬＺ）に再生するようになる。
【０１０７】
なお、図２に示されたミラーデバイス６６は、一つの軸線ＲＡ１に沿ってミラー６６ａを回動させるように、構成されている。図５は、図２に示された照明装置４０の構成を斜視図として示している。図５に示された例では、ミラー６６ａの回動軸線ＲＡ１は、ホログラム記録媒体５５の板面上に定義されたＸＹ座標系（つまり、ＸＹ平面がホログラム記録媒体５５の板面と平行となるＸＹ座標系）のＹ軸と、平行に延びている。そして、ミラー６６ａが、ホログラム記録媒体５５の板面上に定義されたＸＹ座標系のＹ軸と平行な軸線ＲＡ１を中心として回動するため、照射装置６０からのコヒーレント光の光学素子５０への入射点ＩＰは、ホログラム記録媒体５５の板面上に定義されたＸＹ座標系のＸ軸と平行な方向に往復動するようになる。すなわち、図５に示された例では、照射装置６０は、コヒーレント光がホログラム記録媒体５５上を直線経路に沿って走査するように、光学素子５０にコヒーレント光を照射する。
【０１０８】
なお、実際上の問題として、ホログラム記録媒体５５を作成する際、ホログラム記録材料５８が収縮する場合がある。このような場合、ホログラム記録材料５８の収縮を考慮して、照射装置６０から光学素子５０に照射されるコヒーレント光の波長が調整されることが好ましい。したがって、コヒーレント光源６１ａで生成するコヒーレント光の波長は、図３の露光工程（記録工程）で用いた光の波長と厳密に一致させる必要はなく、ほぼ同一となっていてもよい。
【０１０９】
また、同様の理由から、光学素子５０のホログラム記録媒体５５へ入射する光の進行方向も、基準点ＳＰからの発散光束に含まれる一光線と厳密に同一の経路を取っていなくとも、被照明領域ＬＺに像５を再生することができる。実際に、図２および図５に示す例では、走査デバイス６５をなすミラーデバイス６６のミラー（反射面）６６ａは、必然的に、その回動軸線ＲＡ１からずれる。したがって、基準点ＳＰを通過しない回動軸線ＲＡ１を中心としてミラー６６ａを回動させた場合、ホログラム記録媒体５５へ入射する光は、基準点ＳＰからの発散光束をなす一光線とはならないことがある。しかしながら、実際には、図示された構成の照射装置６０からのコヒーレント光によって、被照明領域ＬＺに重ねて像５を実質的に再生することができる。
【０１１０】
〔基本形態の作用効果〕
次に、以上の構成からなる照明装置４０、投射装置２０および投射型映像表示装置１０の作用について説明する。
【０１１１】
まず、照射装置６０は、コヒーレント光が光学素子５０のホログラム記録媒体５５上を走査するようにして、光学素子５０へコヒーレント光を照射する。具体的には、レーザ光源６１ａで一定方向に沿って進む特定波長のコヒーレント光が生成され、このコヒーレント光が走査デバイス６５で進行方向を変えられる。走査デバイス６５は、ホログラム記録媒体５５上の各位置に、当該位置でのブラッグ条件を満たす入射角度で特定波長のコヒーレント光を入射させる。この結果、各位置に入射したコヒーレント光は、それぞれ、ホログラム記録媒体５５での回折により、被照明領域ＬＺに重ねて散乱板６の像５を再生する。すなわち、照射装置６０からホログラム記録媒体５５の各位置に入射したコヒーレント光は、それぞれ、光学素子５０で拡散されて（拡げられて）、被照明領域ＬＺの全域に入射するようになる。このようにして、照射装置６０は、被照明領域ＬＺをコヒーレント光で照明するようになる。
【０１１２】
図１に示すように、投射装置２０においては、照明装置４０の被照明領域ＬＺと重なる位置に空間光変調器３０が配置されている。このため、空間光変調器３０は、照明装置４０によって面状に照明され、画素毎にコヒーレント光を選択して透過させることにより、映像を形成するようになる。この映像は、投射光学系２５によってスクリーン１５に投射される。スクリーン１５に投射されたコヒーレント光は、拡散され、観察者に映像として認識されるようになる。ただし、この際、スクリーン上に投射されたコヒーレント光は拡散によって干渉し、スペックルを生じさせることになる。
【０１１３】
しかしながら、ここで説明してきた基本形態における照明装置４０によれば、次に説明するように、スペックルを極めて効果的に目立たなくさせることができる。
【０１１４】
前掲の非特許文献１によれば、スペックルを目立たなくさせるには、偏光・位相・角度・時間といったパラメータを多重化し、モードを増やすことが有効であるとされている。ここでいうモードとは、互いに無相関なスペックルパターンのことである。例えば、複数のレーザ光源から同一のスクリーンに異なる方向からコヒーレント光を投射した場合、レーザ光源の数だけ、モードが存在することになる。また、同一のレーザ光源からのコヒーレント光を、時間を区切って異なる方向から、スクリーンに投射した場合、人間の目で分解不可能な時間の間にコヒーレント光の入射方向が変化した回数だけ、モードが存在することになる。そして、このモードが多数存在する場合には、光の干渉パターンが無相関に重ねられ平均化され、結果として、観察者の目によって観察されるスペックルが目立たなくなるものと考えられている。
【０１１５】
上述した照射装置６０では、コヒーレント光が、ホログラム記録媒体５５上を走査するようにして、光学素子５０に照射される。また、照射装置６０からホログラム記録媒体５５の各位置に入射したコヒーレント光は、それぞれ、同一の被照明領域ＬＺの全域をコヒーレント光で照明するが、当該被照明領域ＬＺを照明するコヒーレント光の照明方向は互いに異なる。そして、コヒーレント光が入射するホログラム記録媒体５５上の位置が経時的に変化するため、被照明領域ＬＺへのコヒーレント光の入射方向も経時的に変化する。
【０１１６】
被照明領域ＬＺを基準にして考えると、被照明領域ＬＺ内の各位置には絶えずコヒーレント光が入射してくるが、その入射方向は、図１に矢印Ａ１で示すように、常に変化し続けることになる。結果として、空間光変調器３０の透過光によって形成された映像の各画素をなす光が、図１に矢印Ａ２で示すように経時的に光路を変化させながら、スクリーン１５の特定の位置に投射されるようになる。
【０１１７】
なお、コヒーレント光はホログラム記録媒体５５上を連続的に走査する。これにともなって、照射装置６０から被照明領域ＬＺへのコヒーレント光の入射方向も連続的に変化するとともに、投射装置２０からスクリーン１５へのコヒーレント光の入射方向も連続的に変化する。ここで、投射装置２０からスクリーン１５へのコヒーレント光の入射方向が僅か（例えば０．数°）だけ変化すれば、スクリーン１５上に生じるスペックルのパターンも大きく変化し、無相関なスペックルパターンが十分に重畳されることになる。加えて、実際に市販されているＭＥＭＳミラーやポリゴンミラー等の走査デバイス６５の周波数は通常数百Ｈｚ以上であり、数万Ｈｚにも達する走査デバイス６５も珍しくない。
【０１１８】
以上のことから、上述してきた基本形態によれば、映像を表示しているスクリーン１５上の各位置において時間的にコヒーレント光の入射方向が変化していき、且つ、この変化は、人間の目で分解不可能な速さであり、結果として、人間の目には、相関の無いコヒーレント光の散乱パターンが多重化されて観察されることになる。したがって、各散乱パターンに対応して生成されたスペックルが重ねられ平均化されて、観察者に観察されることになる。これにより、スクリーン１５に表示されている映像を観察する観察者に対して、スペックルを極めて効果的に目立たなくさせることができる。
【０１１９】
なお、人間によって観察される従来のスペックルには、スクリーン１５上でのコヒーレント光の散乱を原因とするスクリーン側でのスペックルだけでなく、スクリーンに投射される前におけるコヒーレント光の散乱を原因とする投射装置側でのスペックルも発生し得る。この投射装置側で発生したスペックルパターンは、空間光変調器３０を介してスクリーン１５上に投射されることによって、観察者に認識され得るようにもなる。しかしながら、上述してきた基本形態によれば、コヒーレント光がホログラム記録媒体５５上を連続的に走査し、そしてホログラム記録媒体５５の各位置に入射したコヒーレント光が、それぞれ、空間光変調器３０が重ねられた被照明領域ＬＺの全域を照明するようになる。すなわち、ホログラム記録媒体５５が、スペックルパターンを形成していたそれまでの波面とは別途の新たな波面を形成し、複雑且つ均一に、被照明領域ＬＺ、さらには、空間光変調器３０を介してスクリーン１５を照明するようになる。このようなホログラム記録媒体５５での新たな波面の形成により、投射装置側で発生するスペックルパターンは不可視化されることになる。
【０１２０】
ところで、前掲の非特許文献１には、スクリーン上に生じたスペックルの程度を示すパラメータとして、スペックルコントラスト（単位％）という数値を用いる方法が提案されている。このスペックルコントラストは、本来は均一の輝度分布をとるべきテストパターン映像を表示した際に、スクリーン上に実際に生じる輝度のばらつきの標準偏差を、輝度の平均値で除した値として定義される量である。このスペックルコントラストの値が大きければ大きいほど、スクリーン上のスペックル発生程度が大きいことを意味し、観察者に対して、斑点状の輝度ムラ模様がより顕著に提示されていることを示す。
【０１２１】
図１〜図５を参照しながら説明してきた基本形態の投射型映像表示装置１０について、スペックルコントラストを測定したところ、３．０％となった（条件１）。また、上述の光学素子５０として、反射型の体積型ホログラムに代えて、特定の再生照明光を受けた場合に散乱板６の像５を再生し得るように計算機を用いて設計された凹凸形状を有する計算機合成ホログラム（ＣＧＨ）としてのレリーフ型ホログラムを用いた場合についてのスペックルコントラストは３．７％となった（条件２）。ＨＤＴＶ（高精細テレビ）の映像表示用途にて、観察者が肉眼観察した場合に輝度ムラ模様がほとんど認識できないレベルとして、スペックルコントラスト６．０％以下という基準（たとえば、ＷＯ／２００１／０８１９９６号公報参照）が示されているが、上述してきた基本形態はこの基準を十分に満たしている。また、実際に肉眼観察したところ、視認され得る程度の輝度ムラ（明るさのムラ）は発生していなかった。
【０１２２】
一方、レーザ光源からのレーザ光を平行光束に整形して空間光変調器３０に入射させた場合、すなわち、図１に示された投射型映像表示装置１０の空間光変調器３０に、走査デバイス６５や光学素子５０を介さず、レーザ光源６１ａからのコヒーレント光を平行光束として入射させた場合、スペックルコントラストは２０．７％となった（条件３）。この条件下では、肉眼観察により、斑点状の輝度ムラ模様がかなり顕著に観察された。
【０１２３】
また、光源６１ａを緑色のＬＥＤ（非コヒーレント光源）に交換し、このＬＥＤ光源からの光を空間光変調器３０に入射させた場合、すなわち、図１に示された投射型映像表示装置１０の空間光変調器３０に、走査デバイス６５や光学素子５０を介さず、ＬＥＤ光源からの非コヒーレント光を平行光束として入射させた場合、スペックルコントラストは４．０％となった（条件４）。この条件下では、肉眼観察で視認され得る程度の輝度ムラ（明るさのムラ）は発生していなかった。
【０１２４】
条件１および条件２の結果が、条件３の結果よりも極めて良好であり、さらに、条件４の測定結果と比較しても良好となった。既に述べたとおり、スペックルの発生という問題は、実用上、レーザ光などのコヒーレント光源を用いた場合に生じる固有の問題であり、ＬＥＤなどの非コヒーレント光源を用いた装置では、考慮する必要のない問題である。加えて、条件１および条件２では、条件４と比較して、スペックル発生の原因となり得る光学素子５０が追加されている。これらの点から、条件１および条件２によれば、スペックル不良に十分に対処することができたと言える。
【０１２５】
加えて、上述してきた基本形態によれば、次の利点を享受することもできる。
【０１２６】
上述してきた基本形態によれば、スペックルを目立たなくさせるための光学素子５０が、照射装置６０から照射されるコヒーレント光のビーム形態を整形および調整するための光学部材としても機能し得る。したがって、光学系を小型且つ簡易化することができる。
【０１２７】
また、上述してきた基本形態によれば、ホログラム記録媒体５５の各位置に入射するコヒーレント光が、互いに同一の位置に、散乱板６の像５を生成するとともに、当該像５に重ねて空間光変調器３０が配置されている。このため、ホログラム記録媒体５５で回折された光を、高効率で、映像形成のために利用することが可能となり、光源６１ａからの光の利用効率の面においても優れる。
【０１２８】
〔基本形態への変形〕
図１〜５に例示された一具体例に基づいて説明してきた基本形態に対して、種々の変更を加えることが可能である。以下、図面を参照しながら、変形の一例について説明する。以下の説明で用いる図面では、上述した実施の形態における対応する部分に対して用いた符号と同一の符号を用いており、重複する説明を省略する。
【０１２９】
（照明装置）
上述した形態によれば、スペックルを効果的に目立たなくさせることができる。ただし、この作用効果は、主として照明装置４０に起因したものである。したがって、この照明装置４０を種々の態様で有用に使用することができる。例えば、照明装置４０を単なる照明として用いることができ、この場合、明るさのムラ（輝度ムラ、ちらつき）を目立たなくさせることができる。
【０１３０】
また、上述した照明装置４０をスキャナ（一例として、像読み取り装置）用の照明として用いてもよい。このような例においては、照明装置４０の被照明領域ＬＺ上にスキャンされるべき対象物を配置することにより、当該対象物上に生じるスペックルを目立たなくさせることができる。結果として、従来必要であった像補正手段等を不要にすることもできる。
【０１３１】
照明装置４０がスキャナに組み込まれる場合には、照明装置４０による被照明領域ＬＺが、上述した形態と同様に、面であってもよい。あるいは、照明装置４０による被照明領域ＬＺが一方向に延びる細長い領域（線状とも呼ばれるような領域）であってもよい。この場合、スキャナに組み込まれた照明装置４０が、前記一方向と直交する方向に沿って、対象物に対して相対移動することにより、二次元的な像情報を読み取ることも可能となる。
【０１３２】
またさらに、図６に示すように、光学素子５０が、重ならないようにして並べて配置された複数のホログラム記録媒体５５−１，５５−２，・・・を含んでいても良い。図６に示された各ホログラム記録媒体５５−１，５５−２，・・・は、それぞれ短冊状に形成され、その長手方向と直交する方向に、隙間無く並べて配列されている。また、各ホログラム記録媒体５５−１，５５−２，・・・は、互いに同一の仮想面上に位置している。各ホログラム記録媒体５５−１，５５−２，・・・は、それぞれ、重ならないようにして並べて配置された被照明領域ＬＺ−１，ＬＺ−２，・・・に散乱板６の像５を生成する、言い換えると、被照明領域ＬＺ−１，ＬＺ−２，・・・にコヒーレント光を照明するようになっている。各被照明領域ＬＺ−１，ＬＺ−２，・・・は、一方向に延びる細長い領域（線状とも呼ばれるような領域）として形成され、その長手方向と直交する方向に、隙間無く並べて配列されている。また、各被照明領域ＬＺ−１，ＬＺ−２，・・・は、互いに同一の仮想面上に位置している。
【０１３３】
図６に示された例では、次のようにして、被照明領域ＬＺ−１，ＬＺ−２，・・・を照明するようにしてもよい。まず、照射装置６０は、コヒーレント光が第１のホログラム記録媒体５５−１の長手方向（前記一方向）に沿った経路を繰り返し走査するように、光学素子５０の第１のホログラム記録媒体５５−１へ当該コヒーレント光を照射する。第１のホログラム記録媒体５５−１の各位置に入射したコヒーレント光は、それぞれ、第１の照明領域ＬＺ−１に重ねて線状あるいは細長状の散乱板６の像５を再生し、当該第１の照明領域ＬＺ−１をコヒーレント光で照明するようになる。所定の時間が経過すると、照射装置６０は、第１のホログラム記録媒体５５−１に隣接する第２のホログラム記録媒体５５−２上にコヒーレント光を照射し、第１の被照明領域ＬＺ−１に代えて、第１の被照明領域ＬＺ−１に隣接する第２の被照明領域ＬＺ−２をコヒーレント光で照明する。以下、順に各ホログラム記録媒体にコヒーレント光を照射して、当該ホログラム記録媒体に対応する被照明領域をコヒーレント光で照明していく。このような方法によれば、照明装置を移動させることなく、二次元的な像情報を読み取ることが可能となる。
【０１３４】
（空間光変調器、投射光学系、スクリーン）
上述した形態によれば、スペックルを効果的に目立たなくさせることができる。ただし、この作用効果は、主として照明装置４０に起因したものである。そして、この照明装置４０を、種々の既知な空間光変調器、投射光学系、スクリーン等と組み合わせても、スペックルを効果的に目立たなくさせることができる。この点から、空間光変調器、投射光学系、スクリーンは、例示したものに限られず、種々の既知な部材、部品、装置等を用いることができる。
【０１３５】
（投射型映像表示装置）
また、ホログラム記録媒体５５が、空間光変調器３０の入射面に対応した形状を有した平面状の散乱板６を用いて、干渉露光法により作製される例を示したが、これに限られず、ホログラム記録媒体５５が、何らかのパターンを有した散乱板を用いて、干渉露光法により作製されてもよい。この場合、ホログラム記録媒体５５によって、何らかのパターンを持った散乱板の像が再生されるようになる。言い換えると、光学素子５０（ホログラム記録媒体５５）は、何らかのパターンを持った被照明領域ＬＺを照明するようになる。この光学素子５０を用いる場合、空間光変調器３０を、さらには投射光学系２５をも上述の基本形態から省き、スクリーン１５を被照明領域ＬＺと重なる位置に配置することによって、スクリーン１５上にホログラム記録媒体５５に記録された何らかのパターンを表示することが可能となる。この表示装置においても、コヒーレント光がホログラム記録媒体５５上を走査するように、照射装置６０が光学素子５０にコヒーレント光を照射することによって、スクリーン１５上でのスペックルを目立たなくさせることができる。
【０１３６】
図７には、このような例の一例が開示されている。図示する例において、光学素子５０は、第１〜第３のホログラム記録媒体５５−１，５５−２，５５−３を含んでいる。第１〜第３のホログラム記録媒体５５−１，５５−２，５５−３は、互いに重ならないように位置をずらして、光学素子５０の入射面と平行な面上に配置されている。各ホログラム記録媒体５５−１，５５−２，５５−３は、矢印の輪郭を有した像５を再生することができる、言い換えると、矢印の輪郭を有した被照明領域ＬＺ−１，ＬＺ−２，ＬＺ−３をコヒーレント光で照明することができるようになっている。各ホログラム記録媒体５５−１，５５−２，５５−３にそれぞれ対応した第１〜第３の被照明領域ＬＺ−１，ＬＺ−２，ＬＺ−３は、同一の仮想面上に、互いに重ならないように配置されている。とりわけ図示する例では、各被照明領域ＬＺ−１，ＬＺ−２，ＬＺ−３をなす矢印によって示される向きがすべて同一で、この向きに沿って第１〜第３被照明領域ＬＺ−１，ＬＺ−２，ＬＺ−３が順に位置している。例えば、照射装置６０からのコヒーレント光が第１ホログラム記録媒体５５−１上を走査している場合には、最も後方に位置する第１の被照明領域ＬＺ−１が照明される。一例として次に、図７に示すように、照射装置６０からのコヒーレント光が第２ホログラム記録媒体５５−２上を走査するようになり、真ん中に位置する第２の被照明領域ＬＺ−２が照明される。その後、照射装置６０からのコヒーレント光が第３ホログラム記録媒体５５−３上を走査するようになると、最も前方に位置する第３の被照明領域ＬＺ−３が照明される。
【０１３７】
（照射装置）
上述した形態では、照射装置６０が、レーザ光源６１ａと、走査デバイス６５と、を有する例を示した。走査デバイス６５は、コヒーレント光の進行方向を反射によって変化させる一軸回動型のミラーデバイス６６からなる例を示したが、これに限られない。走査デバイス６５は、図８に示すように、ミラーデバイス６６のミラー（反射面６６ａ）が、第１の回動軸線ＲＡ１だけでなく、第１の回動軸線ＲＡ１と交差する第２の回動軸線ＲＡ２を中心としても回動可能となっていてもよい。図８に示された例では、ミラー６６ａの第２の回動軸線ＲＡ２は、ホログラム記録媒体５５の板面上に定義されたＸＹ座標系のＹ軸と平行に延びる第１回動軸線ＲＡ１と、直交している。そして、ミラー６６ａが、第１軸線ＲＡ１および第２軸線ＲＡ２の両方を中心として回動可能なため、照射装置６０からのコヒーレント光の光学素子５０への入射点ＩＰは、ホログラム記録媒体５５の板面上で二次元方向に移動可能となる。このため、一例として図８に示されているように、コヒーレント光の光学素子５０への入射点ＩＰが円周上を移動するようにすることもできる。
【０１３８】
また、走査デバイス６５が、二以上のミラーデバイス６６を含んでいてもよい。この場合、ミラーデバイス６６のミラー６６ａが、単一の軸線を中心としてのみ回動可能であっても、照射装置６０からのコヒーレント光の光学素子５０への入射点ＩＰを、ホログラム記録媒体５５の板面上で二次元方向に移動させることができる。
【０１３９】
なお、走査デバイス６５に含まれるミラーデバイス６６ａの具体例としては、ＭＥＭＳミラー、ポリゴンミラー等を挙げることができる。
【０１４０】
また、走査デバイス６５は、反射によってコヒーレント光の進行方向を変化させる反射デバイス（一例として、上述してきたミラーデバイス６６）以外のデバイスを含んで構成されていてもよい。例えば、走査デバイス６５が、屈折プリズムやレンズ等を含んでいていてもよい。
【０１４１】
そもそも、走査デバイス６５は必須ではなく、照射装置６０の光源６１ａが、光学素子５０に対して変位可能（移動、揺動、回転）に構成され、光源６１ａの光学素子に対する変位によって、光源６１ａから照射されたコヒーレント光がホログラム記録媒体５５上を走査するようにしてもよい。
【０１４２】
さらに、照射装置６０の光源６１ａが、線状光線として整形されたレーザ光を発振する前提で説明してきたが、これに限られない。とりわけ、上述した形態では、光学素子５０の各位置に照射されたコヒーレント光は、光学素子５０によって、被照明領域ＬＺの全域に入射するようになる光束に整形される。したがって、照射装置６０の光源６１ａから光学素子５０に照射されるコヒーレント光は精確に整形されていなくとも不都合は生じない。このため、光源６１ａから発生されるコヒーレント光は、発散光であってもよい。また、光源６１ａから発生されるコヒーレント光の断面形状は、円でなく、楕円等であってもよい。さらには、光源６１ａから発生されるコヒーレント光の横モードがマルチモードであってもよい。
【０１４３】
なお、光源６１ａが発散光束を発生させる場合、コヒーレント光は、光学素子５０のホログラム記録媒体５５に入射する際に、点ではなくある程度の面積を持った領域に入射することになる。この場合、ホログラム記録媒体５５で回折されて被照明領域ＬＺの各位置に入射する光は、角度を多重化されることになる。言い換えると、各瞬間において、被照明領域ＬＺの各位置には、或る程度の角度範囲の方向からコヒーレント光が入射する。このような角度の多重化によって、スペックルをさらに効果的に目立たなくさせることができる。
【０１４４】
さらに、上述した形態において、照射装置６０が、発散光束に含まれる一光線の光路をたどるようにして、コヒーレント光を光学素子５０へ入射させる例を示したが、これに限られない。例えば、上述した形態において、走査デバイス６５が、コヒーレント光の光路に沿ってミラーデバイス６６の下流側に配置された集光レンズ６７を、さらに含むようにしてもよい。この場合、図９に示すように、発散光束を構成する光線の光路を進むミラーデバイス６６からの光が、集光レンズ６７によって、一定の方向に進む光となる。すなわち、照射装置６０は、平行光束を構成する光線の光路をたどるようにして、コヒーレント光を光学素子５０へ入射させるようになる。このような例では、ホログラム記録媒体５５を作製する際の露光工程において、参照光Ｌｒとして、上述した収束光束に代えて、平行光束を用いることになる。このようなホログラム記録媒体５５は、より簡単に作製および複製することができる。
【０１４５】
上述した形態では、照射装置６０が単一のレーザ光源６１ａのみを有する例を示したが、これに限られない。例えば、照射装置６０が、同一波長域の光を発振する複数の光源を含んでいても良い。この場合、照明装置４０は、被照明領域ＬＺをより明るく照明することが可能となる。また、異なる固体のレーザ光源からのコヒーレント光は、互いに干渉性を有しない。したがって、散乱パターンの多重化がさらに進み、スペックルをさらに目立たなくさせることができる。
【０１４６】
（光学素子）
上述した形態において、光学素子５０が、フォトポリマーを用いた反射型の体積型ホログラム５５からなる例を示したが、これに限られない。既に説明したように、光学素子５０は複数のホログラム記録媒体５５を含んでいてもよい。また、光学素子５０は、銀塩材料を含む感光媒体を利用して記録するタイプの体積型ホログラムを含んでもよい。さらに、光学素子５０は、透過型の体積型ホログラム記録媒体を含んでいてもよいし、レリーフ型（エンボス型）のホログラム記録媒体を含んでいてもよい。
【０１４７】
ただし、レリーフ（エンボス）型ホログラムは、表面の凹凸構造によってホログラム干渉縞の記録が行われる。しかしながら、このレリーフ型ホログラムの場合、表面の凹凸構造による散乱が、新たなスペックル生成要因となる可能性があり、この点において体積型ホログラムの方が好ましい。体積型ホログラムでは、媒体内部の屈折率変調パターン（屈折率分布）としてホログラム干渉縞の記録が行われるため、表面の凹凸構造による散乱による影響を受けることはない。
【０１４８】
もっとも、体積型ホログラムでも、銀塩材料を含む感光媒体を利用して記録するタイプのものは、銀塩粒子による散乱が新たなスペックル生成要因となる可能性がある。この点において、ホログラム記録媒体５５としては、フォトポリマーを用いた体積型ホログラムの方が好ましい。
【０１４９】
また、図３に示す露光工程では、いわゆるフレネルタイプのホログラム記録媒体が作成されることになるが、レンズを用いた記録を行うことにより得られるフーリエ変換タイプのホログラム記録媒体を作成してもかまわない。ただ、フーリエ変換タイプのホログラム記録媒体を用いる場合には、像再生時にもレンズを使用してもよい。
【０１５０】
また、ホログラム記録媒体５５に形成されるべき縞状パターン（屈折率変調パターンや凹凸パターン）は、現実の物体光Ｌｏおよび参照光Ｌｒを用いることなく、予定した再生照明光Ｌａの波長や入射方向、並びに、再生されるべき像の形状や位置等に基づき計算機を用いて設計されてもよい。このようにして得られたホログラム記録媒体５５は、計算機合成ホログラムとも呼ばれる。また上述した変形例のように波長域の互いに異なる複数のコヒーレント光が照射装置６０から照射される場合には、計算機合成ホログラムとしてのホログラム記録媒体５５は、各波長域のコヒーレント光にそれぞれ対応して設けられた複数の領域に平面的に区分けされ、各波長域のコヒーレント光は対応する領域で回折されて像を再生するようにしてもよい。
【０１５１】
さらに、上述した形態において、光学素子５０が、各位置に照射されたコヒーレント光を拡げて、当該拡げたコヒーレント光を用いて被照明領域ＬＺの全域を照明する光拡散素子として、ホログラム記録媒体５５を有している例を示したが、これに限られない。光学素子５０は、ホログラム記録媒体５５に代えて或いはホログラム記録媒体５５に加えて、各位置に照射されたコヒーレント光の進行方向を変化させるとともに拡散させて、被照明領域ＬＺの全域をコヒーレント光で照明する光拡散素子（光拡散要素）としてのレンズアレイを有するようにしてもよい。光拡散素子として機能するレンズアレイの具体例として、拡散機能を付与された全反射型または屈折型のフレネルレンズやフライアイレンズ等を挙げることができる。このような照明装置４０においても、照射装置６０が、レンズアレイ（光拡散素子）上をコヒーレント光が走査するようにして、光学素子５０にコヒーレント光を照射するようにし、且つ、照射装置６０から光学素子５０の各位置に入射したコヒーレント光が、レンズアレイ（光拡散素子）によって進行方向を変化させられて被照明領域ＬＺを照明するよう、照射装置６０および光学素子５０を構成しておくことにより、スペックルを効果的に目立たなくさせることができる。
【０１５２】
（照明方法）
上述した形態において、照射装置６０が光学素子５０上でコヒーレント光を一次元方向に走査可能とするように構成され、且つ、光学素子５０のホログラム記録媒体５５（光拡散素子）が各位置に照射されたコヒーレント光を二次元方向に拡散するよう（拡げるように、発散させるように）に構成され、これにより、照明装置４０が二次元的な被照明領域ＬＺを照明する例を示した。ただし、既に説明してきたように、このような例に限定されることはなく、例えば、照射装置６０が光学素子５０上でコヒーレント光を二次元方向に走査可能とするように構成され、且つ、光学素子５０のホログラム記録媒体５５（（光拡散素子）が各位置に照射されたコヒーレント光を二次元方向に拡散するよう（拡げるように、発散させるように）に構成され、これにより、照明装置４０が二次元的な被照明領域ＬＺを照明してもよい（図８を参照しながら、既に説明した態様）。
【０１５３】
また、照射装置６０が光学素子５０上でコヒーレント光を一次元方向に走査可能とするように構成され、且つ、光学素子５０のホログラム記録媒体５５（光拡散素子）が各位置に照射されたコヒーレント光を一次元方向に拡散するよう（拡げるように、発散させるように）に構成され、これにより、照明装置４０が一次元的な被照明領域ＬＺを照明するようにしてもよい。この態様において、照射装置６０によるコヒーレント光の走査方向と、光学素子のホログラム記録媒体５５（光拡散素子）の拡散方向（拡げる方向）と、が平行となるようにしてもよい。
【０１５４】
さらに、照射装置６０が光学素子５０上でコヒーレント光を一次元方向または二次元方向に走査可能とするように構成され、且つ、光学素子５０のホログラム記録媒体５５（光拡散素子）が各位置に照射されたコヒーレント光を一次元方向に拡散するよう（拡げるように、発散させるように）に構成されていてもよい。この態様において、既に説明したように、光学素子５０が複数のホログラム記録媒体５５（光拡散素子）を有し、各ホログラム記録媒体５５（光拡散素子）に対応した被照明領域ＬＺを順に照明していくことによって、照明装置４０が二次元的な領域を照明するようにしてもよい。この際、各被照明領域ＬＺが、人間の目では同時に照明されているかのような速度で、順に照明されていってもよいし、あるいは、人間の目でも順番に照明していると認識できるような遅い速度で、順に照明されていってもよい。
【０１５５】
（変形例の組み合わせ）
なお、以上において上述した基本形態に対するいくつかの変形例を説明してきたが、当然に、複数の変形例を適宜組み合わせて適用することも可能である。
【０１５６】
＜応用形態＞
〔応用形態の構成および応用形態の作用〕
次に、上述してきた基本形態を応用してなる応用形態について、図１０〜図１７に例示された照明装置４０、投射装置２０および投射型映像表示装置１０を参照しながら、説明する。以下の説明では、上述の基本形態に追加される点についてのみ説明し、上述の基本形態と同様に構成され得るその他の部分については、図１０〜図１７において上述の基本形態と同様の符号を付して、重複説明を省略する。また、以下において、異なる複数の態様を説明するが、異なる複数の態様の間で共通に構成され得る部分については同一の符号を用い、重複する説明を省略する。
【０１５７】
上述した基本形態において、照射装置６０は、コヒーレント光を生成する単一の光源６１ａのみを有する例を示した。単一の光源６１ａから生成されるコヒーレント光は、レーザ光に代表されるように、典型的には、狭波長帯域の光であって単色光となる。また、実質的に使用可能な光源、すなわち、安価に入手することができ且つ十分な出力を有した光源から発生されるコヒーレント光は、特定の波長（域）の光に限定される。すなわち、種々の色の光を、単一の光源からの光で表示することはできない。その一方で、今日における多くの場合、単一の光源では表示することのできない所望の色や、複数の色、典型的にはフルカラーで、被照明領域を照明する或いは映像を表示することが望まれている。以下に説明する応用形態（本発明の一実施の形態）は、このような点を考慮して、上述の基本形態を応用したものである。
【０１５８】
応用形態では、照射装置６０が、互いに異なる波長域の複数のコヒーレント光を光学素子５０に照射する。図１０に示された例において、照射装置６０は、互いに異なる波長域の複数のコヒーレント光を合成してなる合成光ＳＬを光学素子５０に照射するようになっている。図１０に示された例では、照射装置６０は、第１波長域の第１コヒーレント光Ｌａと、第１波長域とは異なる第２波長域の第２コヒーレント光Ｌｂと、第１波長域および第２波長域の両方と異なる第３波長域の第３コヒーレント光Ｌｃと、を合成してなる合成光ＳＬを照射する。とりわけ以下においては、第１波長域が第１の原色成分（青色成分）に対応し、第２波長域が第１波長域よりも長波長側の第２の原色成分（緑色成分）に対応し、且つ、第３波長域が第２波長域よりも長波長側の第３の原色成分（赤色成分）に対応して、照射装置６０が、第１〜第３の原色成分の加法混色によって、白色光を照射し得る例について、説明する。
【０１５９】
図１０に示す例において、照射装置６０は、上述した走査デバイス６５と、合成光ＳＬを生成する光源機構６１と、を有している。光源機構６１は、各コヒーレント光の波長域に対応した波長域のコヒーレント光をそれぞれ発振する複数の光源６１ａ，６１ｂ，６１ｃと、複数の光源６１ａ，６１ｂ，６１ｃからのコヒーレント光を合成する合成デバイス６２と、を有している。光源機構６１には、複数の光源として、第１波長域の第１コヒーレント光Ｌａを発振する第１光源６１ａと、第２波長域の第２コヒーレント光Ｌｂを発振する第２光源６１ｂと、第３波長域の第３コヒーレント光Ｌｃを発振する第３光源６１ｃと、が設けられている。一方、合成デバイス６２として、二つの光を合成する種々の部材、部品、装置等を用いることができる。図示する例においては、クロスダイクロックプリズム等と比較して安価で小型であるといった利点を有するダイクロイックミラーが、合成デバイス６２として用いられている。
【０１６０】
図１０に示す例において、光学素子５０は、合成光を回折して被照明領域ＬＺを照明する反射型の体積型ホログラムからなるホログラム記録媒体５５を含んでいる。ただし、反射型の体積型ホログラムは、高い波長選択性を有している。このため、図示された光学素子５０は、各波長域のコヒーレント光にそれぞれ対応して設けられた第１〜第３ホログラム記録媒体５５−１，５５−２，５５−３を含んでいる。第１ホログラム記録媒体５５−１は、第１波長域の第１コヒーレント光Ｌａに対応して設けられ、第２ホログラム記録媒体５５−２は、第２波長域の第２コヒーレント光Ｌｂに対応して設けられ、第３ホログラム記録媒体５５−３は、第３波長域の第３コヒーレント光Ｌｃに対応して設けられている。
【０１６１】
また、図１０に示された第１〜第３ホログラム記録媒体５５−１，５５−２，５５−３は、図１１に示すように、一平面上に隣接して並べられて、一つの光学素子５０を形成している。すなわち、光学素子５０が、各波長域のコヒーレント光にそれぞれ対応して設けられた複数の領域に平面的に区分けされ、各波長域のコヒーレント光は対応する領域をなすホログラム記録媒体で回折されて散乱板６の像５を再生するようになっている。
【０１６２】
とりわけ、図１０に示す例では、第１ホログラム記録媒体５５−１が第１波長域の第１コヒーレント光Ｌａを再生照明光として回折することによって、第２ホログラム記録媒体５５−２が第２波長域の第２コヒーレント光Ｌｂを再生照明光として回折することによって、さらに、第３ホログラム記録媒体５５−３が第３波長域の第３コヒーレント光Ｌｃを再生照明光として回折することによって、互いに同一の散乱板６の像５が再生され得るようになっている。加えて、図１０に示す例では、第１ホログラム記録媒体５５−１、第２ホログラム記録媒体５５−２および第３ホログラム記録媒体５５−３が、それぞれ対応するコヒーレント光Ｌａ，Ｌｂ，Ｌｃを再生照明光として回折して、互いに重なる位置に散乱板６の像５を再生し得るようになっている。
【０１６３】
なお、合成光ＳＬをなす各波長域のコヒーレント光用のホログラム記録媒体５５−１，５５−２，５５−３は、例えば、図３および図４を参照しながら既に説明した方法において、露光用の光（参照光Ｌｒおよび物体光Ｌｏ）として、対応する波長域のコヒーレント光を用いることにより、作製され得る。
【０１６４】
図１０および図１１に示すように、第１〜第３ホログラム記録媒体５５−１，５５−２，５５−３は同一平面上に隣接して配置されている。そして、上述した基本形態と同様に、照射装置６０が合成光ＳＬを光学素子５０に照射した場合には、合成光ＳＬが光学素子５０をなすホログラム記録媒体５５−１，５５−２，５５−３上を走査する。そして、合成光ＳＬが第１ホログラム記録媒体５５−１に照射されているときには、合成光ＳＬのうちの第１コヒーレント光Ｌａが第１ホログラム記録媒体５５−１によって回折されて、合成光ＳＬが第２ホログラム記録媒体５５−２に照射されているときには、合成光ＳＬのうちの第２コヒーレント光Ｌｂが第２ホログラム記録媒体５５−２によって回折されて、合成光ＳＬが第３ホログラム記録媒体５５−３に照射されているときには、合成光ＳＬのうちの第３コヒーレント光Ｌａが第３ホログラム記録媒体５５−３によって回折されて、それぞれ、前記被照明領域ＬＺに重ねて像５を再生するようになる。
【０１６５】
すなわち、この例では、瞬間的には、光学素子５０のホログラム記録媒体５５上を走査する合成光ＳＬのうちの、いずれか一つの波長域に対応したコヒーレント光のみが、被照明領域ＬＺ（または、空間光変調器３０）を照明することになる。空間光変調器３０は、カラーフィルタを含んで構成され常に各波長域のコヒーレント光Ｌａ，Ｌｂ，Ｌｃ毎の変調画像を形成し得るように作動してもよいし、あるいは、空間光変調器３０に照射されている波長域のコヒーレント光に対応した変調画像を形成するように時分割的に作動するようにしてもよい。なお、既に説明したように、実際に市販されているＭＥＭＳミラーやポリゴンミラー等の走査デバイス６５の周波数は通常数百Ｈｚ以上であり、数万Ｈｚにも達する走査デバイス６５も珍しくない。このように合成光ＳＬの走査が極めて高速であれば、人間の目では、被照明領域ＬＺ（または、空間光変調器３０）を照明する光の色の移りかわりを認識することができず、合成光によって被照明領域ＬＺ（または、空間光変調器３０）が照明され、合成光によって映像が表示されているものと認識される。
【０１６６】
以上のように、図１０に示された応用形態では、照射装置６０からの合成光ＳＬが光学素子５０に入射すると、合成光をなす各波長域のコヒーレント光（第1〜第３コヒーレント光）Ｌａ，Ｌｂ，Ｌｃによって、それぞれ、被照明領域ＬＺに重ねて散乱板６の像５が再生されるようになる。結果として、被照明領域ＬＺは、第１〜第３コヒーレント光Ｌａ，Ｌｂ，Ｌｃの加法混色によって得られる色に照明されることになる。すなわち、本例では、照明装置６０は、白色光で被照明領域ＬＺを照明することになる。
【０１６７】
そして、投射装置２０または透過型映像表示装置１０において、空間光変調器３０が、例えばカラーフィルタを含んでおり、各波長域のコヒーレント光Ｌａ，Ｌｂ，Ｌｃ毎に変調画像の形成が可能である場合には、複数色で映像を表示すること、更にはフルカラーで映像を表示することが可能となる。また、空間光変調域がカラーフィルタを含んでいなくとも、空間光変調器３０が、合成光ＳＬを照射されているホログラム記録媒体によって回折されるコヒーレント光に対応した変調画像を形成するように、時分割で作動するようにしてもよい。このような例においても、時分割動作が人間の目で検出不可能な程度に高速であれば、人間に目で観察した場合に、複数色で映像が表示されること、更にはフルカラーで映像が表示されることを可能にすることができる。
【０１６８】
また、図１０に示された応用形態によれば、上述した基本形態と同様に、光学素子５０のホログラム記録媒体５５ａ，５５ｂ，５５ｃで回折された各コヒーレント光Ｌａ，Ｌｂ，Ｌｃの被照明領域ＬＺの各位置への入射方向は、連続的に変化する。これにともなって、投射装置２０から投射される第１〜第３コヒーレント光Ｌａ，Ｌｂ，Ｌｃからなる映像光のスクリーン１５上の各位置への入射方向も、連続的に変化する。このため、基本形態で既に説明したように、無相関なスペックルパターンが重畳されて平均化され、結果として、観察者の目によって観察されるスペックルを目立たなくさせることができる。
【０１６９】
加えて、図１０に示された形態では、第１〜第３コヒーレント光Ｌａ，Ｌｂ，Ｌｃが、同時に被照明領域ＬＺを照明し、また、同時にスクリーン１５に投射されるようになる。この第１〜第３コヒーレント光Ｌａ，Ｌｂ，Ｌｃは、互いに異なる光源６１ａ，６１ｂ，６１ｃで生成され、このため、互いに干渉性を有していない。すなわち、各コヒーレント光Ｌａ，Ｌｂ，Ｌｃに起因するスペックルパターンは無相関であり、この無相関なスペックルパターンがスクリーン１５で重畳されて平均化される。このため、図１０に示された応用形態では、スペックルパターンを更に目立たなくさせることができる。
【０１７０】
ところで、人間の眼の比視感度、すなわち、人間の眼による光の明るさの感じ方は、波長に応じて変化することが知られている。このため、比視感度の高い波長域の光ほど、スペックルも視認されやすくなる。図１２には、CIE(Commission internationale de l'eclairage：国際照明委員会)で規定された標準比視感度として知られている明所標準比視感度を示している。図１２に示されているように、波長に応じて比視感度は大きく異なり、いわゆる光の三原色と呼ばれている、青色成分の光、緑色成分の光および赤色成分の光の間でも比視感度が大きく異なっている。したがって、異なる波長域の複数のコヒーレント光を用いた照明装置４０、投射装置２０および投射型映像表示装置１０においては、比視感度の高いコヒーレント光に対してより強くスペックル低減効果が発揮されるようにしておけば、装置全体として極めて効果的にスペックルを目立たなくさせることができる。
【０１７１】
この観点から、異なる波長域の複数のコヒーレント光を用いた装置においては、被照明領域（像が再生される位置）ＬＺのある一点に種々の方向から入射するようになるコヒーレント光の二つの入射方向によってなされる最大の角度（以下、「振れ角」と呼ぶ）が、複数のコヒーレント光Ｌａ，Ｌｂ，Ｌｃの間で同一となっていないことが好ましい。具体的には、装置で用いられるコヒーレント光の比視感度に応じて、各コヒーレント光の振れ角の大小が調節されていることが好ましい。
【０１７２】
上述したように、被照明領域ＬＺの各位置へ種々の方向からコヒーレント光が入射することにより、無相関な散乱パターンが重畳されて平均化され、結果として、観察者の目によって観察されるスペックルを目立たなくさせることができる。したがって、コヒーレント光の被照明領域（像が再生される位置）ＬＺへ入射する際の振れ角が大きいほど、相関の無いコヒーレント光の散乱パターンがより多重化されることになる。結果として、コヒーレント光の被照明領域ＬＺへ入射する際の振れ角が大きいほど、各散乱パターンに対応して生成されたスペックルが重ねられて平均化されるようになり、当該コヒーレント光によるスペックルを極めて効果的に目立たなくさせることができる。したがって、異なる波長域の複数のコヒーレント光のうちの比視感度がより高いコヒーレント光の振れ角が大きくなっている場合、スペックルが生じやすいコヒーレント光に対してより強いスペックル低減作用を及ぼすことができ、結果として、装置全体におけるスペックルを効果的に目立たなくさせることができる。
【０１７３】
図１０および図１１の態様においては、比視感度の最も高い緑色成分の光である第２コヒーレント光Ｌｂの振れ角θｂが、他のコヒーレント光Ｌａ，Ｌｃの振れ角θａ，θｃよりも大きくなっており、これにより、極めて効果的に、スペックルを目立たなくさせるこができる。
【０１７４】
なお、振れ角を特定する上での被照明領域（像が再生される位置）ＬＺ内の「ある一点」は、被照明領域ＬＺの中心であることが好ましく、被照明領域ＬＺ内の各位置、すなわち、被照明領域ＬＺ内の任意の位置であることがさらに好ましい。ここで、被照明領域ＬＺの中心とは、被照明領域の外輪郭に基づいた重心の位置であり、観察者が表示画質を最も敏感に感知しやすいとされる位置である。
【０１７５】
図１０および図１１の態様においては、比視感度の最も高い緑色成分の光である第２コヒーレント光Ｌｂの振れ角θｂが、他のコヒーレント光の振れ角θａ，θｃよりも大きくなっており、これにより、極めて効果的に、スペックルを目立たなくさせるこができる。図１０および図１１に示された態様では、具体的には次に説明するようにして、振れ角θａ，θｂ，θｃの調節を行っている。
【０１７６】
図１０および図１１の態様において、照射装置６０の走査デバイス６５は、一つの軸線ＲＡ１のみを中心として回動可能な反射面６６ａを有した反射デバイス６６を含んでいる。したがって、図１１に示すように、照射装置６０から光学素子５０に照射されたコヒーレント光は、直線状の走査経路に沿って、複数のホログラム記録媒体５５−１，５５−２，５５−３上を繰り返し走査する。そして、図１１に示すように、第２コヒーレント光Ｌｂに対応した第２ホログラム記録媒体５５−２上における走査経路の長さＸｂは、第１コヒーレント光Ｌａのホログラム記録媒体５５−１上における走査経路の長さＸａよりも長く、また、第３コヒーレント光Ｌｃのホログラム記録媒体５５−３上における走査経路の長さＸｃよりも長くなっている。この結果、図１０に示すように、第２コヒーレント光Ｌｂの振れ角θｂが、第１コヒーレント光Ｌａの振れ角θａよりも大きく、且つ、第３コヒーレント光Ｌｃの振れ角θｃよりも大きくなっている。
【０１７７】
図１０および図１１に示した例においては、比視感度の大小にあわせて、第３コヒーレント光Ｌｃのホログラム記録媒体５５−３上における合成光ＳＬの走査経路の長さＸｃを、第１コヒーレント光Ｌａのホログラム記録媒体５５−１上における合成光ＳＬの走査経路の長さＸａよりも長くし、これにより、赤色成分の光に対応する第３コヒーレント光Ｌｃの振れ角θｃを、青色成分の光に対応する第１コヒーレント光Ｌａの振れ角θａよりも大きくしている。しかしながら、図１０および図１１に示した例において、また、後述する例においても同様に、青色成分の光に対応する第１コヒーレント光Ｌａに対するスペックル低減作用と、赤色成分の光に対応する第３コヒーレント光Ｌｃに対するスペックル低減作用と、に優劣を付けなくてもよい。
【０１７８】
ところで、図１０および図１１に示された例においては、合成光ＳＬの走査経路と平行な方向に沿ったホログラム記録媒体の幅が、同一となっていない。具体的には、合成光ＳＬの走査経路と平行な方向に沿った第２コヒーレント光Ｌｂに対応したホログラム記録媒体５５−２の幅が、合成光ＳＬの走査経路と平行な方向に沿った第１コヒーレント光Ｌａのホログラム記録媒体５５−１の幅よりも長く、合成光ＳＬの走査経路と平行な方向に沿った第３コヒーレント光Ｌｃのホログラム記録媒体５５−３の幅よりも長くなっている。このようなホログラム記録媒体５５−１，５５−２，５５−３の幅の調節により、各ホログラム記録媒体５５−１，５５−２，５５−３上での走査経路が異なるようにしている。
【０１７９】
なお、図１０および図１１に示された態様において、照射装置６０が、各光源６１ａ，６１ｂ，６１ｃからのコヒーレント光を合成して合成光として光学素子５０に照射する例、すなわち、各光源６１ａ，６１ｂ，６１ｃがコヒーレント光を生成している時期が同一である例を示した。ただし、この例に限られず、合成デバイス６２によって同一の光路をたどって光学素子５０へ照射されるコヒーレント光Ｌａ，Ｌｂ，Ｌｃの各光源６１ａ，６１ｂ，６１ｃでの生成時期を調節するようにしてもよい。すなわち、各光源６１ａ，６１ｂ，６１ｃがコヒーレント光を生成している時期が同一でないようにしてもよい。
【０１８０】
一例として、走査デバイス６５がコヒーレント光の進行方向を第１ホログラム記録媒体５５−１へ向けている場合、第１光源６１ａのみがコヒーレント光を生成し、走査デバイス６５がコヒーレント光の進行方向を第２ホログラム記録媒体５５−２へ向けている場合、第２光源６１ｂのみがコヒーレント光を生成し、走査デバイス６５がコヒーレント光の進行方向を第３ホログラム記録媒体５５−３へ向けている場合、第３光源６１ｃのみがコヒーレント光を生成するようにしてもよい。この際、各光源６１ａ，６１ｂ，６１ｃがコヒーレント光を生成している時間を調節することによって、各ホログラム記録媒体５５−１，５５−２，５５−３上における走査経路の長さＸａ，Ｘｂ，Ｘｃを制御することができ、結果として、各ホログラム記録媒体５５−１，５５−２，５５−３の幅によらず各コヒーレント光Ｌａ，Ｌｂ，Ｌｃの振れ角θａ，θｂ，θｃを制御することができる。
【０１８１】
またそもそも、各光源６１ａ，６１ｂ，６１ｃで生成されたコヒーレント光Ｌａ，Ｌｂ，Ｌｃが異なる経路をたどって光学素子５０へ照射されるようにしてもよい。また、各光源６１ａ，６１ｂ，６１ｃで生成されたコヒーレント光Ｌａ，Ｌｂ，Ｌｃが、それぞれに割り当てられた走査デバイスによって、ホログラム記録媒体上、とりわけ、対応するホログラム記録媒体上を走査するようにしてもよい。すなわち、照射装置６０が、各光源６１ａ，６１ｂ，６１ｃからのコヒーレント光Ｌａ，Ｌｂ，Ｌｃにそれぞれ対応して設けられ、対応する光源６１ａ，６１ｂ，６１ｃからのコヒーレント光Ｌａ，Ｌｂ，Ｌｃの進行方向を変化させて当該コヒーレント光Ｌａ，Ｌｂ，Ｌｃがホログラム記録媒体上５５−１，５５−２，５５−３を走査するようにする、複数の走査デバイスを含むようにしてもよい。これらの例によれば、振れ角θａ，θｂ，θｃの調整の自由度を高めることができる。
【０１８２】
次に、図１３を参照して、異なる波長域の複数のコヒーレント光を用いた、別の態様について説明する。以下に説明する図１３に示された態様においても、各コヒーレント光Ｌａ，Ｌｂ，Ｌｃの振れ角θａ，θｂ，θｃの大小を調節することによってスペックルを効果的に目立たなくさせることができるようになっている。なお、図１３および次に説明する図１４では、投射光学系２５やスクリーン１５を省略している。
【０１８３】
図１３に示された態様では、各コヒーレント光Ｌａ，Ｌｂ，Ｌｃをそれぞれ回折するための複数のホログラム記録媒体５５−１，５５−２，５５−３が重ねて配置されて光学素子５０を形成している点において、図１０および図１１に示された態様と異なっている。ただし、図１３に示された態様においても、第１コヒーレント光Ｌａが第１ホログラム記録媒体５５−１によって回折されて、第２コヒーレント光Ｌｂが第２ホログラム記録媒体５５−２によって回折されて、第３コヒーレント光Ｌａが第３ホログラム記録媒体５５−３によって回折されて、それぞれ、同一の被照明領域ＬＺに重ねて同一の像５を再生する。
【０１８４】
図１３に示された態様においては、例えば、コヒーレント光Ｌａ，Ｌｂ，Ｌｃの各光源６１ａ，６１ｂ，６１ｃでの生成時期を調節することによって、各コヒーレント光Ｌａ，Ｌｂ，Ｌｃの振れ角θａ，θｂ，θｃの大きさを調節することができる。例えば、図１０および図１１に示した例と同様に、各コヒーレント光Ｌａ，Ｌｂ，Ｌｃが、ホログラム記録媒体５５−１，５５−２，５５−３上を直線状の走査経路に沿って走査するようにし、且つ、コヒーレント光Ｌａ，Ｌｂ，Ｌｃの各光源６１ａ，６１ｂ，６１ｃでの生成時期を調節して、各コヒーレント光Ｌａ，Ｌｂ，Ｌｃの走査経路の長さＸａ，Ｘｂ，Ｘｃを調節することによって、各コヒーレント光Ｌａ，Ｌｂ，Ｌｃの振れ角θａ，θｂ，θｃの大きさを制御することができる。
【０１８５】
図１３に示す例では、第２コヒーレント光Ｌｂに対応した第２ホログラム記録媒体５５−２上における走査経路の長さＸｂが、第１コヒーレント光Ｌａのホログラム記録媒体５５−１上における走査経路の長さＸａよりも長く、また、第３コヒーレント光Ｌｃのホログラム記録媒体５５−３上における走査経路の長さＸｃよりも長くなっている。この結果、第２コヒーレント光Ｌｂの振れ角θｂが、第１コヒーレント光Ｌａの振れ角θａよりも大きく、且つ、第３コヒーレント光Ｌｃの振れ角θｃよりも大きくなっている。また、図１３に示された態様では、第３コヒーレント光Ｌｃに対応した第３ホログラム記録媒体５５−３上における走査経路の長さＸｃが、第１コヒーレント光Ｌａのホログラム記録媒体５５−１上における走査経路の長さＸａよりも長くなっている。この結果、第３コヒーレント光Ｌｃの振れ角θｃが、第１コヒーレント光Ｌａの振れ角θａよりも大きくなっている。
【０１８６】
なお、図１３に示す例において、第１〜第３ホログラム記録媒体５５−１，５５−２，５５−３を積層して光学素子５０を作製することに代え、各波長域のコヒーレント光からなる物体光Ｌｏおよび参照光Ｌｒを、それぞれ同時に又は別々のタイミングで、単一のホログラム感光材料５８に露光して、単一のホログラム記録媒体５５によって、複数の波長域の光をそれぞれ回折するようにしてもよい。レーザ光に代表されるように、波長域の異なるコヒーレント光は異なる光源から生成され互いに対して干渉性を有さない。したがって、異なる波長域のコヒーレント光を同時にホログラム感光材料５８に露光したとしても、異なる波長域のコヒーレント光間での干渉縞が生成されることはない。すなわち、ホログラム感光材料５８に不要な干渉縞が記録されてしまうことはなく、当該ホログラム感光材料５８からなるホログラム記録媒体５５は、互いに異なる波長域の複数のコヒーレント光を、それぞれ、高効率で回折することができる。
【０１８７】
次に、図１４を参照して、異なる波長域の複数のコヒーレント光を用いた、別の態様について説明する。以下に説明する図１４に示された態様においても、各コヒーレント光Ｌａ，Ｌｂ，Ｌｃについての振れ角θａ，θｂ，θｃの大小を調節することによってスペックルを効果的に目立たなくさせることができるようになっている。
【０１８８】
図１４に示された照射装置６０は、波長域が異なる複数のコヒーレント光Ｌａ，Ｌｂ，Ｌｃをそれぞれ生成する複数の光源６１ａ，６１ｂ，６１ｃと、複数の光源６１ａ，６１ｂ，６１ｃからのコヒーレント光Ｌａ，Ｌｂ，Ｌｃの進行方向を変化させて、当該コヒーレント光Ｌａ，Ｌｂ，Ｌｃがホログラム記録媒体５５−１，５５−２，５５−３上を走査するようにする単一の走査デバイス６５と、を含んでいる。そして、波長域が異なる複数のコヒーレント光Ｌａ，Ｌｂ，Ｌｃが、互いに異なる方向から走査デバイス６５に入射して、互いに異なる方向へ進行方向を変更させられるようになっている。
【０１８９】
とりわけ、図１４に示された例では、走査デバイス６５は、一つの軸線ＲＡ１を中心として回動可能な反射面６６ａを有した反射デバイス６６を含んでおり、上述した基準点ＳＰにおいて、複数のコヒーレント光Ｌａ，Ｌｂ，Ｌｃを異なる方向から受ける。なお、図１４に示した例では、照射装置６０が、各光源６１ａ，６１ｂ，６１ｃから走査デバイス６５までの光路に配置されたレンズ６４を含んでおり、このレンズ６４によって、各光源６１ａ，６１ｂ，６１ｃから互いに平行に進みでる複数のコヒーレント光Ｌａ，Ｌｂ，Ｌｃを、反射デバイス６６の反射面６６ａ上にある基準点ＳＰに向けている。
【０１９０】
一方、図１４に示された例では、各波長域のコヒーレント光にそれぞれ対応した第１〜第３ホログラム記録媒体５５−１，５５−２，５５−３をそれぞれ含む第１〜第３光学素子５０−１，５０−２，５０−３が設けられている。そして、図１４に示された例では、第１光学素子５０−１の第１ホログラム記録媒体５５−１が第１波長域の第１コヒーレント光Ｌａを再生照明光として回折することによって、第２光学素子５０−２の第２ホログラム記録媒体５５−２が第２波長域の第２コヒーレント光Ｌｂを再生照明光として回折することによって、さらに、第３光学素子５０−３の第３ホログラム記録媒体５５−３が第３波長域の第３コヒーレント光Ｌｃを再生照明光として回折することによって、互い同一の被照明領域ＬＺに重なる位置に、互いに同一の散乱板６の像５を再生するようになっている。
【０１９１】
そして、図１４に示す例では、ホログラム記録媒体５５−１，５５−２，５５−３と被照明領域ＬＺまでの距離を調節することによって、各コヒーレント光Ｌａ，Ｌｂ，Ｌｃの振れ角θａ，θｂ，θｃの大きさを調節することができる。具体的には、被照明領域ＬＺに近い位置に配置されたホログラム記録媒体で回折されるコヒーレント光の振れ角を大きくすることができる。図１４に示された例では、第２コヒーレント光Ｌｂに対応したホログラム記録媒体５５−２が、第１コヒーレント光Ｌａに対応したホログラム記録媒体５５−１および第３コヒーレント光Ｌｃに対応したホログラム記録媒体５５−３よりも、被照明領域（像が再生される位置）ＬＺに接近して配置されている。第３コヒーレント光Ｌｃに対応したホログラム記録媒体５５−３が、第１コヒーレント光Ｌａに対応したホログラム記録媒体５５−１よりも、被照明領域（像が再生される位置）ＬＺに接近して配置されている。この結果、第２コヒーレント光Ｌｂの振れ角θｂが、第１コヒーレントＬａの振れ角θａおよび第３コヒーレントＬｃの振れ角θｃよりも大きくなり、また、第３コヒーレント光Ｌｃの振れ角θｃが、第１コヒーレントＬａの振れ角θａよりも大きくなっている。
【０１９２】
以上の応用形態の説明においては、異なる波長域の複数のコヒーレント光を用いた装置において、特定のコヒーレント光に対するスペックル低減作用を増強する手法として、当該コヒーレント光の振れ角を大きくすることを説明してきた。ただし、特定のコヒーレント光に対するスペックル低減作用を増強する手法として、当該コヒーレント光の振れ角を大きくすることに代えて或いは当該コヒーレント光の振れ角を大きくすることに加えて、当該コヒーレント光の光学素子５０上での走査速度を速くすることも有効である。
【０１９３】
上述したように、被照明領域ＬＺの各位置へ種々の方向からコヒーレント光が入射することにより、無相関な散乱パターンが重畳されて平均化され、結果として、観察者の目によって観察されるスペックルを目立たなくさせることができる。したがって、コヒーレント光の光学素子５０上での走査速度が速いほど、一定の時間内において、相関の無いコヒーレント光の散乱パターンがより多重化されることになる。結果として、コヒーレント光の光学素子５０上での走査速度が速いほど、各散乱パターンに対応して生成されたスペックルが重ねられて平均化されるようになり、当該コヒーレント光によるスペックルを極めて効果的に目立たなくさせることができる。したがって、異なる波長域の複数のコヒーレント光のうちの比視感度がより高いコヒーレント光の光学素子５０上での走査速度が速くなっている場合、スペックルが生じやすいコヒーレント光に対してより強いスペックル低減作用を及ぼすことができ、結果として、装置全体におけるスペックルを効果的に目立たなくさせることができる。
【０１９４】
したがって、応用形態として説明してきた異なる波長域の複数のコヒーレント光を用いた態様においては、比視感度の最も高い緑色成分の光である第２コヒーレント光Ｌｂの第２ホログラム記録媒体５５−２上での走査速度が、他のコヒーレント光Ｌｂ，Ｌｃの対応するホログラム記録媒体５５−１，５５−３上での走査速度よりも速くすることにより、極めて効果的に、スペックルを目立たなくさせることができる。とりわけ、複数のコヒーレント光Ｌａ，Ｌｂ，Ｌｃの振れ角θａ，θｂ，θｃが互いに同一である場合や、さらには、複数のコヒーレント光Ｌａ，Ｌｂ，Ｌｃのホログラム記録媒体５５−１，５５−２，５５−３上での走査経路が互いに同一である場合に、コヒーレント光の比視感度に応じてコヒーレント光の光学素子上での走査速度を調節することが、スペックルを効果的に目立たなくさせる上で有効となる。
【０１９５】
さらに、特定のコヒーレント光に対するスペックル低減作用を増強する手法として、各コヒーレント光Ｌａ，Ｌｂ，Ｌｃが、それぞれ、光学素子５０（ホログラム記録媒体５５）上の一定の走査経路を周期的に繰り返し走査する場合に、当該特定のコヒーレント光が走査する光学素子５０（ホログラム記録媒体５５）上での前記一定の走査経路の長さ（走査経路の全長）を長くすることも有効である。そして、この手法は、当該コヒーレント光の振れ角を大きくすることに代えて或いは当該コヒーレント光の振れ角を大きくすることに加えて、採用することができる。
【０１９６】
上述したように、被照明領域ＬＺの各位置へ種々の方向からコヒーレント光が入射することにより、無相関な散乱パターンが重畳されて平均化され、結果として、観察者の目によって観察されるスペックルを目立たなくさせることができる。したがって、コヒーレント光の前記一定の走査経路の長さが長いほど、コヒーレント光が当該一定の走査経路を走査する間に、相関の無いコヒーレント光の散乱パターンがより多重化されることになる。結果として、コヒーレント光の前記一定の走査経路の長さが長いほど、各散乱パターンに対応して生成されたスペックルが重ねられて平均化されるようになり、当該コヒーレント光によるスペックルを極めて効果的に目立たなくさせることができる。したがって、異なる波長域の複数のコヒーレント光のうちの比視感度がより高いコヒーレント光の光学素子５０上での一定の走査経路の長さが長くなっている場合、スペックルが生じやすいコヒーレント光に対してより強いスペックル低減作用を及ぼすことができ、結果として、装置全体におけるスペックルを効果的に目立たなくさせることができる。
【０１９７】
したがって、応用形態として説明してきた異なる波長域の複数のコヒーレント光を用いた態様において、複数のコヒーレント光の各々が光学素子５０（ホログラム記録媒体５５）上の一定の走査経路を周期的に走査する場合、比視感度の最も高い緑色成分の光である第２コヒーレント光Ｌｂの第２ホログラム記録媒体５５−２上での走査経路の長さ（走査経路の全長）が、他のコヒーレント光Ｌｂ，Ｌｃの対応するホログラム記録媒体５５−１，５５−３上での走査経路の長さ（走査経路の全長）よりも長くすることにより、極めて効果的に、スペックルを目立たなくさせることができる。とりわけ、複数のコヒーレント光Ｌａ，Ｌｂ，Ｌｃの振れ角θａ，θｂ，θｃが互いに同一である場合や、さらには、複数のコヒーレント光Ｌａ，Ｌｂ，Ｌｃがホログラム記録媒体５５−１，５５−２，５５−３上での走査経路の全長を進むのに要する時間（周期）が互いに同一である場合に、コヒーレント光の比視感度に応じてコヒーレント光の光学素子上での一定の走査経路の長さ（走査経路の全長）を調節することが、スペックルを効果的に目立たなくさせる上で有効となる。
【０１９８】
一具体例として、照射装置６０は、波長域が異なる複数のコヒーレント光Ｌａ，Ｌｂ，Ｌｃをそれぞれ生成する複数の光源６１ａ，６１ｂ，６１ｃと、各光源６１ａ，６１ｂ，６１ｃからのコヒーレント光Ｌａ，Ｌｂ，Ｌｃにそれぞれ対応して設けられ、対応する光源６１ａ，６１ｂ，６１ｃからのコヒーレント光Ｌａ，Ｌｂ，Ｌｃの進行方向を変化させて当該コヒーレント光Ｌａ，Ｌｂ，Ｌｃがホログラム記録媒体上を走査するようにする、複数の走査デバイス６５−１，６５−２，６５−３と、を含んでいる態様について検討する（例えば、後述する図１６の態様）。そして、図１５に示すように、コヒーレント光Ｌａ，Ｌｂ，Ｌｃがホログラム記録媒体５５上において、第１方向（Ｙ軸方向）に沿って一定の第１方向振動数（あるいは第１方向周波数）で振動するとともに第１方向と交差（例えば、直交）する第２方向（Ｘ軸方向）に沿っても第１方向振動数以下の一定の第２方向振動数（あるいは第２方向周波数）で振動するように、各複数の走査デバイス６５−１，６５−２，６５−３の各々が対応するコヒーレント光の進行方向を変化させるとする。
【０１９９】
なお、図１５に示された走査デバイス６５−１，６５−２，６５−３は、図８を参照しながら説明した走査デバイス６５と同様に構成されている。
【０２００】
走査デバイス６５−１，６５−２，６５−３が、図１５に示されたように、コヒーレント光Ｌａ，Ｌｂ，Ｌｃの進行方向を変化させる場合、比視感度の高いコヒーレント光の進行方向を変化させる走査デバイスの第２方向振動数に対する第１方向振動数の比の値を大きく設定することが好ましい。この比の値が大きくなると、当該コヒーレント光が第１方向に沿って走査する長さＺｙおよび第２方向に沿って走査する長さＺｙｘを一定としながら、すなわち、振れ角θｚを略一定に保ちながら、当該コヒーレント光のホログラム記録媒体５５上での一周期あたりの走査経路の長さ（前記一定の走査経路の長さ）を長くすることができ、これにより、スペックルを目立たなくさせることができる。
【０２０１】
したがって、応用形態として説明してきた異なる波長域の複数のコヒーレント光を用いた態様において、複数のコヒーレント光の各々が光学素子５０（ホログラム記録媒体５５）上の一定の走査経路を周期的に走査する場合、第２コヒーレント光Ｌｂの進行方向を変化させる走査デバイスの第１方向振動数以下の第２方向振動数に対する第１方向振動数の比の値が、第１コヒーレント光Ｌａの進行方向を変化させる走査デバイスの第１方向振動数以下の第２方向振動数に対する第１方向振動数の比の値、並びに、第３コヒーレント光Ｌｃのコヒーレント光の進行方向を変化させる走査デバイスの第１方向振動数以下の第２方向振動数に対する第１方向振動数の比の値よりも大きいことが、スペックルを目立たなくさせる上で好ましい。また、第３コヒーレント光Ｌｃの進行方向を変化させる走査デバイスの第１方向振動数以下の第２方向振動数に対する第１方向振動数の比の値が、第１コヒーレント光Ｌａのコヒーレント光の進行方向を変化させる走査デバイスの第１方向振動数以下の第２方向振動数に対する第１方向振動数の比の値よりも大きいことが、スペックルを目立たなくさせる上で好ましい。とりわけ、コヒーレント光のホログラム記録媒体５５上での一周期あたりの走査時間が、複数のコヒーレント光の間で同一の場合、すなわち、複数の走査デバイスの第２方向振動数が互いに同一の場合、極めて効果的にスペックルを目立たなくさせることができる。
【０２０２】
さらに、以上に説明した応用形態では、異なる波長域の複数のコヒーレント光Ｌａ，Ｌｂ，Ｌｃが、互いに同一の位置に、散乱板６の像５を再生する例を示したが、これに限られず、一例として図１６および図１７に示すように、異なる波長域の複数のコヒーレント光Ｌａ，Ｌｂ，Ｌｃが、異なる位置に散乱板６の像５を再生するようにしてもよい。このような態様においても、用いられるコヒーレント光の比視感度に応じて、各コヒーレント光の振れ角の大小を調節することにより、及び／又は、用いられるコヒーレント光の比視感度に応じて、コヒーレント光の光学素子５０上での走査速度を調節することにより、及び／又は、複数のコヒーレント光の各々が光学素子５０（ホログラム記録媒体５５）上の一定の走査経路を周期的に走査する場合に、用いられるコヒーレント光の比視感度に応じて、コヒーレント光の光学素子５０上での一定の走査経路の長さ（走査経路の全長）を調節することにより、スペックルを効果的に目立たなくさせることできる。
【０２０３】
図１６に示された態様では、異なる波長域の複数のコヒーレント光Ｌａ，Ｌｂ，Ｌｃを生成する複数の光源６１ａ，６１ｂ，６１ｃが設けられている。そして、各光源６１ａ，６１ｂ，６１ｃに対して、それぞれ、走査デバイス６５−１，６５−２，６５−３および光学素子５０−１，５０−２，５０−３が設けられている。また、各コヒーレント光Ｌａ，Ｌｂ，Ｌｃによって再生される像６と重なる位置、つまり、各被照明領域と重なる位置に、それぞれ、空間光変調器３０−１，３０−２，３０−３が設けられている。さらに、各空間光変調器３０−１，３０−２，３０−３上に得られる変調画像を合成して投射する合成投射光学系２６が設けられている。合成投射光学系２６は、変調画像を合成するデバイス、例えばダイクロイックプリズム２６ａと、合成された変調画像をスクリーン１５上に投射するデバイス、例えばレンズ２６ｂと、を有している。
【０２０４】
図１６に示された態様において、スクリーン１５上に投射される各変調画像は、基本形態で説明したように、スペックルを目立たなくさせることができる。またさらに、各光源６１ａ，６１ｂ，６１ｃでのコヒーレント光の生成時期を調整することや、走査デバイス６５−１，６５−２，６５−３の動作を制御することにより、応用形態で説明した振れ角の大きさ、光学素子５０上での走査速度、および、光学素子５０上での一周期分の走査経路の長さの一以上を制御することによって、コヒーレント光の比視感度を考慮して極めて効果的にスペックルを目立たなくさせることができる。
【０２０５】
また、図１７に示された態様は、単一の走査デバイスしか設けられていない点において、図１６に示された態様と異なっている。すなわち、図１７に示された態様において、照射装置６０は、図１４を参照して説明した態様と同様に、波長域が異なる複数のコヒーレント光Ｌａ，Ｌｂ，Ｌｃをそれぞれ生成する複数の光源６１ａ，６１ｂ，６１ｃと、複数の光源６１ａ，６１ｂ，６１ｃからのコヒーレント光Ｌａ，Ｌｂ，Ｌｃの進行方向を変化させて、当該コヒーレント光Ｌａ，Ｌｂ，Ｌｃがホログラム記録媒体５５−１，５５−２，５５−３上を走査するようにする単一の走査デバイス６５と、を含んでいる。そして、波長域が異なる複数のコヒーレント光Ｌａ，Ｌｂ，Ｌｃが、互いに異なる方向から単一の走査デバイス６５に入射して、互いに異なる方向へ進行方向を変更させられるようになっている。
【０２０６】
とりわけ、図１７に示された例では、走査デバイス６５は、一つの軸線ＲＡ１を中心として回動可能な反射面６６ａを有した反射デバイス６６を含んでおり、上述した基準点ＳＰにおいて、複数のコヒーレント光Ｌａ，Ｌｂ，Ｌｃを異なる方向から受ける。また、図１７に示した例では、照射装置６０が、各光源６１ａ，６１ｂ，６１ｃから走査デバイス６５までの光路に配置されたレンズ６４を含んでおり、このレンズ６４によって、各光源６１ａ，６１ｂ，６１ｃから互いに平行に進みでる複数のコヒーレント光Ｌａ，Ｌｂ，Ｌｃを、反射デバイス６６の反射面６６ａ上にある基準点ＳＰに向けている。走査デバイス６５から異なる方向に進む各コヒーレント光Ｌａ，Ｌｂ，Ｌｃは、ミラー等からなる誘導デバイス２７により、光学素子５０−１，５０−２，５０−３へと誘導される。光学素子５０−１，５０−２，５０−３以降の構成は、図１６に示された態様と同様に構成され得る。
【０２０７】
このような図１７に示された態様では、唯一の走査デバイス６５から各光学素子５０−１，５０−２，５０−３までの光路長を長くすることにより、各コヒーレント光が被照明領域ＬＺ（空間光変調器）の各位置に入射する際の振れ角θａ，θｂ，θｃを大きくすることができる。すなわち、コヒーレント光の比視感度に応じて、複数のコヒーレント光Ｌａ，Ｌｂ，Ｌｃの振れ角θａ，θｂ，θｃを調節することができ、これにより、極めて効果的にスペックルを目立たなくさせることができる。
【０２０８】
図１０〜図１７に例示された複数の具体例を参照しながら説明してきた応用形態に対して、次のような種々の変更を加えることが可能である。以下、変更（変形）の一例について説明する。
【０２０９】
まず、基本形態に対して説明した変形例を、当然に、応用形態においても採用することができる。
【０２１０】
例えば、各ホログラム記録媒体５５ａ，５５ｂ，５５ｃが、反射型の体積型ホログラムとして構成される例を示したが、これに限られず。各ホログラム記録媒体５５ａ，５５ｂ，５５ｃが、透過型の体積型ホログラムとして構成されていてもよい。なお、透過型の体積ホログラムは、反射型の体積ホログラムと比較して、波長選択性が低い。しかしながら、透過型の体積ホログラムの波長選択性は、例えばホログラム感光材料５８の膜厚を厚くしておく等の処置により、調整可能である。そして、透過型の体積型ホログラムの波長選択性を調整しておくことにより、各透過型の体積型ホログラムが、対象とする波長域のコヒーレント光のみを高効率で回折して、対象としない波長域のコヒーレント光の進路を大きく曲げてしまうことを回避することができる。
【０２１１】
また、ホログラム記録媒体５５に形成されるべき縞状パターン（屈折率変調パターンや凹凸パターン）を、現実の物体光Ｌｏおよび参照光Ｌｒを用いることなく、予定した再生照明光の波長や入射方向、並びに、再生されるべき像の形状や位置等に基づき計算機を用いて設計してなるホログラム（いわゆる、計算機合成ホログラム）を、ホログラム記録媒体５５として、用いることもできる。計算機合成ホログラムとしてのホログラム記録媒体５５は、各波長域のコヒーレント光にそれぞれ対応して設けられた複数の領域に平面的に区分けされ、各波長域のコヒーレント光は対応する領域で回折されて像を再生するようにしてもよい。
【０２１２】
さらに、基本形態に対する変形例として説明したように、光学素子５０は、各位置に照射されたコヒーレント光の進行方向を変化させるとともに拡散させて、被照明領域ＬＺの全域へコヒーレント光を照明する光拡散素子（光拡散要素）として、ホログラム記録媒体５５に代えて或いはホログラム記録媒体５５に加えて、レンズアレイを有するようにしてもよい。このような態様においても、用いられるコヒーレント光の比視感度に応じて、振れ角の大きさ、光学素子５０上での走査速度、および、光学素子５０上での一周期分の走査経路の長さの一以上を調節しておくことにより、装置全体として、スペックルを効果的に目立たなくさせることができる。
【０２１３】
なお、光学素子５０が光拡散素子（光拡散要素）としてレンズアレイを有する場合、異なる波長域の複数のコヒーレント光Ｌａ，Ｌｂ，Ｌｃは、互いに異なるレンズアレイから別の光学作用を受け無くとも、単一のレンズアレイによって被照明領域ＬＺを照明するように進行方向を変化させられ得る。ただし、振れ角の大きさ、光学素子５０上での走査速度、および、光学素子５０上での一周期分の走査経路の長さの一以上をコヒーレント光毎に制御するため、波長域が異なる各コヒーレント光にそれぞれに対応して、複数のレンズアレイが設けられるようにしてもよい。また、上述してきたホログラム記録媒体を使用する場合と同様にして、コヒーレント光の光路や光源６１ａ，６１ｂ，６１ｃでの生成時期を調節することにより、用いられるコヒーレント光の比視感度に応じて、振れ角の大きさ、光学素子５０（レンズアレイ）上での走査速度、および、光学素子５０（レンズアレイ）上での一周期分の走査経路の長さの一以上を制御するようにしてもよい。
【０２１４】
さらに、上述した例において、照射装置６０から、互いに異なる三つの波長域の第１〜第３コヒーレント光Ｌａ，Ｌｂ，Ｌｃが照射され、且つ、各波長域の第１〜第３コヒーレント光Ｌａ，Ｌｂ，Ｌｃが、それぞれ、白色を表示するための原色成分である例を示した。しかしながら、各波長域の第１〜第３コヒーレント光Ｌａ，Ｌｂ，Ｌｃは、白色を表示するための原色成分である必要はない。また、照射装置６０は、互いに異なる三つの波長域のコヒーレント光を照射する必要はなく、例えば、互いに異なる二つの波長域のコヒーレント光を照射するようにしてもよい。この場合、単一の光源からのコヒーレント光では、通常、表示することができない色で、被照明領域を照明することが可能となる。また、単一の光源からのコヒーレント光では、通常、表示することができない色で映像を表示すること、あるいは、複数の色で映像を表示することが可能となる。
【０２１５】
さらに、基本形態に対する変形例としても既に図９を参照して説明したように、照射装置６０が、仮想の平行光束をなす一光線の光路に沿って、合成光ＳＬを光学素子５０へ照射するようにしてもよい。すなわち、照射装置６０が、一定の方向に進む合成光ＳＬを光学素子５０のホログラム記録媒体５５の各位置に照射するようにしてもよい。具体的な構成としては、図９に示すように、走査デバイス６５が、上述した反射デバイス６６に加えて、反射デバイス６６で反射された光の進行方法を一定の方向に偏向させるコリメータとしてのレンズ６７をさらに有するようにすればよい。ここで、レンズ６７には、互いに波長域の異なる複数のコヒーレント光Ｌａ，Ｌｂ，Ｌｃを含んで成る合成光ＳＬが入射するため、色分散等の不具合を防止する観点から、レンズ６７としてアクロマチックレンズを用いることが好ましい。
【符号の説明】
【０２１６】
５  像
６  散乱板
１０  投射型映像表示装置
１５  スクリーン
２０  投射装置
２５  投射光学系
２６  合成投射光学系
２６ａ  クロスダイクロイックプリズム
２６ｂ  レンズ
２７  誘導デバイス
３０，３０−１，３０−２，３０−３  空間光変調器
４０  照明装置
５０，５０−１，５０−２，５０−３  光学素子
５５，５５−１，５５−２，５５−３  ホログラム記録媒体
５８  ホログラム感光材料
６０  照射装置
６１  光源機構
６１ａ  光源（第１光源）Ｂ
６１ｂ  光源（第２光源）Ｇ
６１ｃ  光源（第３光源）Ｒ
６５，６５−１，６５−２，６５−３  走査デバイス
６６  ミラーデバイス（反射デバイス）
６６ａ  ミラー（反射面）
ＬＺ  被照明領域
ＳＬ  合成光
Ｌａ  コヒーレント光（第１コヒーレント光）
Ｌｂ  コヒーレント光（第２コヒーレント光）
Ｌｃ  コヒーレント光（第３コヒーレント光）
【図１】
0005765032.tif 000002
【図２】
0005765032.tif 000003
【図３】
0005765032.tif 000004
【図４】
0005765032.tif 000005
【図５】
0005765032.tif 000006
【図６】
0005765032.tif 000007
【図７】
0005765032.tif 000008
【図８】
0005765032.tif 000009
【図９】
0005765032.tif 000010
【図１０】
0005765032.tif 000011
【図１１】
0005765032.tif 000012
【図１２】
0005765032.tif 000013
【図１３】
0005765032.tif 000014
【図１４】
0005765032.tif 000015
【図１５】
0005765032.tif 000016
【図１６】
0005765032.tif 000017
【図１７】
0005765032.tif 000018